(57)【要約】  一実施形態に係るセル再選択制御は、移動通信システムにおける方法である。前記セル再選択制御方法は、基地局が、再配分機能に用いる再配分パラメータとして、第１カバレッジに居る無線端末に適用する第１再配分パラメータと、前記第１カバレッジの外側の第２カバレッジに居る無線端末に適用する第２再配分パラメータとをブロードキャストシグナリングによって送信するステップＡと、前記第２カバレッジに居る無線端末が、前記ステップＡで送信された前記第２再配分パラメータを取得するステップＢと、当該無線端末が、前記ステップＢで取得した前記第２再配分パラメータを用いてセル再選択を行うステップＣとを備える。前記再配分機能は、アイドルモードの複数の無線端末がセル再選択によって再選択するセル及び／又は周波数を分散させる機能である。前記第２カバレッジは、繰り返し送信を含む強化カバレッジ機能によって拡張されたカバレッジである。
2019031602.tif 000002
【特許請求の範囲】
【請求項１】
移動通信システムにおけるセル再選択制御方法であって、
基地局が、再配分機能に用いる再配分パラメータとして、第１カバレッジに居る無線端末に適用する第１再配分パラメータと、前記第１カバレッジの外側の第２カバレッジに居る無線端末に適用する第２再配分パラメータとをブロードキャストシグナリングによって送信するステップＡと、
前記第２カバレッジに居るアイドルモードの無線端末が、前記ステップＡで送信された前記第２再配分パラメータを取得するステップＢと、
当該無線端末が、前記ステップＢで取得した前記第２再配分パラメータを用いてセル再選択を行うステップＣとを備え、
前記再配分機能は、アイドルモードの複数の無線端末がセル再選択によって再選択するセル及び／又は周波数を分散させる機能であり、
前記第２カバレッジは、繰り返し送信を含む強化カバレッジ機能によって拡張されたカバレッジである、セル再選択制御方法。
【請求項２】
前記強化カバレッジ機能は、カバレッジを拡張する度合いが異なる複数の強化カバレッジレベルを有し、
前記ステップＡにおいて、前記基地局は、前記第２再配分パラメータを強化カバレッジレベルごとに個別に送信し、
前記ステップＢにおいて、前記第２カバレッジに居るアイドルモードの無線端末は、当該無線端末に適用される強化カバレッジレベルに対応する前記第２再配分パラメータを取得する、請求項１に記載のセル再選択制御方法。
【請求項３】
前記第２カバレッジに居るアイドルモードの無線端末が前記第２再配分パラメータを取得していない場合、当該無線端末が、受信電力に基づくランキングによって前記セル再選択を行うステップをさらに備え、
前記ステップＣは、当該無線端末が前記第２再配分パラメータを取得した場合、当該無線端末が、前記ランキングに代えて、前記第２再配分パラメータと当該無線端末の識別子とに基づいて前記セル再選択を行うステップを有する、請求項１又は２に記載のセル再選択制御方法。
【請求項４】
前記第２再配分パラメータは、少なくとも同一周波数内におけるセル再選択に適用され、
前記ステップＣは、前記第２再配分パラメータと前記無線端末の識別子とに基づいて、同一周波数内におけるセル再選択を行うステップを有する請求項３に記載のセル再選択制御方法。
【請求項５】
前記第２カバレッジに居るアイドルモードの無線端末が前記第２再配分パラメータを取得していない場合、当該無線端末が、受信電力に基づくランキングによって前記セル再選択を行うステップと、
当該無線端末が前記第２再配分パラメータを取得した場合、当該無線端末が、前記ランキングに所定のオフセット値を適用することによって前記セル再選択を行うステップとを更に備える、請求項１に記載のセル再選択制御方法。
【請求項６】
前記第２再配分パラメータは、前記オフセット値を含む、請求項５に記載のセル再選択制御方法。
【請求項７】
移動通信システムにおける基地局であって、
再配分機能に用いる再配分パラメータをブロードキャストシグナリングによって送信する送信部を備え、
前記再配分機能は、アイドルモードの複数の無線端末がセル再選択によって再選択するセル及び／又は周波数を分散させる機能であり、
前記送信部は、前記再配分パラメータとして、第１カバレッジに居る無線端末に適用する第１再配分パラメータと、前記第１カバレッジの外側の第２カバレッジに居る無線端末に適用する第２再配分パラメータとを送信し、
前記第２カバレッジは、繰り返し送信を含む強化カバレッジ機能によって拡張されたカバレッジである、基地局。
【請求項８】
移動通信システムにおける無線端末であって、
請求項７に記載の基地局から前記第２再配分パラメータを取得し、取得した第２再配分パラメータを用いてセル再選択を行う制御部を備える、無線端末。
【請求項９】
移動通信システムにおけるセル再選択制御方法であって、
第１セルをサービングセルとして選択している無線端末が、前記第１セルからブロードキャストされる第１セル再選択パラメータを受信するステップと、
前記無線端末が、前記第１セル再選択パラメータを用いて、前記第１セルとは異なる第２セルを前記サービングセルとして再選択するステップと、
前記無線端末が、前記第２セルを前記サービングセルとして再選択してから所定期間が経過するまで、前記第２セルからブロードキャストされる第２セル再選択パラメータを用いるセル再選択の開始を延期するステップとを備える、セル再選択制御方法。
【請求項１０】
前記セル再選択は、前記サービングセルに対応する第１受信電力に応じて定められる第１ランキングと隣接セルに対応する第２受信電力に応じて定められる第２ランキングとを比較することを含み、
前記第１セル再選択パラメータ及び前記第２セル再選択パラメータのそれぞれは、前記第１受信電力に適用されるオフセット値及び／又は前記第２受信電力に適用されるオフセット値を含む、請求項９に記載のセル再選択制御方法。
【請求項１１】
前記無線端末が、前記第２セルを前記サービングセルとして再選択してから所定期間が経過するまで、前記第１セル再選択パラメータをセル再選択に用いることを継続するステップをさらに備える、請求項９に記載のセル再選択制御方法。
【請求項１２】
前記無線端末が、前記第１セルからブロードキャストされ、前記所定期間を指定する情報を受信するステップをさらに備え、
前記延期するステップは、前記第２セルを前記サービングセルとして再選択してから、前記第１セルから指定された前記所定期間が経過するまで、前記第２セル再選択パラメータを用いるセル再選択の開始を延期するステップを含む、請求項９に記載のセル再選択制御方法。
【請求項１３】
移動通信システムにおける無線端末であって、
第１セルをサービングセルとして選択している際に、前記第１セルからブロードキャストされる第１セル再選択パラメータを受信する受信部と、
前記第１セル再選択パラメータを用いて、前記第１セルとは異なる第２セルを前記サービングセルとして再選択する制御部とを備え、
前記制御部は、前記第２セルを前記サービングセルとして再選択してから所定期間が経過するまで、前記第２セルからブロードキャストされる第２セル再選択パラメータを用いるセル再選択の開始を延期する、無線端末。
【請求項１４】
移動通信システムにおいて無線端末から基地局へのアクセスを規制するアクセス規制を行うアクセス規制方法であって、
前記基地局が前記アクセス規制を開始する前に、前記基地局が、所定時間後に前記アクセス規制を開始することを示す予告通知をブロードキャストするステップと、
前記無線端末が、前記予告通知を受信するステップと、
前記無線端末が、前記予告通知に基づいて、前記所定時間内に前記基地局へのアクセスを行うべきか否かを判断するステップと、
前記基地局が、前記予告通知をブロードキャストしてから前記所定時間が経過した後に前記アクセス規制を開始するステップとを備える、アクセス規制方法。
【請求項１５】
前記無線端末に１又は複数のアクセスクラスを設定するステップと、
前記基地局が、前記所定時間内に前記基地局へのアクセスを許可する特定のアクセスクラスを示すアクセスクラス情報をブロードキャストするステップと、
前記無線端末が、前記アクセスクラス情報を受信するステップと、
前記無線端末が、当該無線端末に設定された前記１又は複数のアクセスクラスのいずれかが前記特定のアクセスクラスである場合に、当該無線端末が前記所定時間内に前記基地局へのアクセスを行うことが許可されると判断するステップとをさらに備える、請求項１４に記載のアクセス規制方法。
【請求項１６】
移動通信システムにおける基地局であって、
無線端末から前記基地局へのアクセスを規制するアクセス規制を開始する前に、所定時間後に前記アクセス規制を開始することを示す予告通知をブロードキャストする送信部と、
前記予告通知をブロードキャストしてから前記所定時間が経過した後に前記アクセス規制を開始する制御部とを備える、基地局。
【請求項１７】
移動通信システムにおける無線端末であって、
前記無線端末から基地局へのアクセスを規制するアクセス規制が所定時間後に開始されることを示す予告通知を前記基地局から受信する受信部と、
前記予告通知に基づいて、前記所定時間内に前記基地局へのアクセスを行うべきか否かを判断する制御部とを備える、無線端末。
【発明の詳細な説明】
【技術分野】
【０００１】
本開示は、移動通信システムにおけるセル再選択制御方法、基地局、及び無線端末に関する。
【背景技術】
【０００２】
近年、人が介在することなく通信を行うＭＴＣ（Ｍａｃｈｉｎｅ  Ｔｙｐｅ  Ｃｏｍｍｕｎｉｃａｔｉｏｎ）及びＩｏＴ（Ｉｎｔｅｒｎｅｔ  ｏｆ  Ｔｈｉｎｇｓ）サービスを対象とした無線端末が注目されている。このような無線端末は、低コスト化、カバレッジ拡張、及び低消費電力化を実現することが求められる。このため、３ＧＰＰ（３ｒｄ  Ｇｅｎｅｒａｔｉｏｎ  Ｐａｒｔｎｅｒｓｈｉｐ  Ｐｒｏｊｅｃｔ）において、システム送受信帯域の一部のみに送受信帯域幅を制限した新たな無線端末のカテゴリが仕様化されている。このような新たなカテゴリの無線端末には、繰り返し送信（ｒｅｐｅｔｉｔｉｏｎ）等を含む強化カバレッジ（ｅｎｈａｎｃｅｄ  ｃｏｖｅｒａｇｅ）機能が適用される。
【発明の概要】
【０００３】
一実施形態に係るセル再選択制御方法は、移動通信システムにおける方法である。前記セル再選択制御方法は、基地局が、再配分機能に用いる再配分パラメータとして、第１カバレッジに居る無線端末に適用する第１再配分パラメータと、前記第１カバレッジの外側の第２カバレッジに居る無線端末に適用する第２再配分パラメータとをブロードキャストシグナリングによって送信するステップＡと、前記第２カバレッジに居る無線端末が、前記ステップＡで送信された前記第２再配分パラメータを取得するステップＢと、当該無線端末が、前記ステップＢで取得した前記第２再配分パラメータを用いてセル再選択を行うステップＣとを備える。前記再配分機能は、アイドルモードの複数の無線端末がセル再選択によって再選択するセル及び／又は周波数を分散させる機能である。前記第２カバレッジは、繰り返し送信を含む強化カバレッジ機能によって拡張されたカバレッジである。
【図面の簡単な説明】
【０００４】
【図１】実施形態に係るＬＴＥシステム（移動通信システム）の構成を示す図である。
【図２】実施形態に係るＵＥ（無線端末）の構成を示す図である。
【図３】実施形態に係るｅＮＢ（基地局）の構成を示す図である。
【図４】実施形態に係るＬＴＥシステムにおける無線インターフェイスのプロトコルスタックを示す図である。
【図５】実施形態に係るＬＴＥシステムの無線フレームの構成を示す図である。
【図６】ｅＭＴＣ  ＵＥ及びＮＢ−ＩｏＴ  ＵＥが取り扱う周波数チャネルを示す図である。
【図７】実施形態に係るセル再選択制御方法の適用シーンを示す図である。
【図８】実施形態に係るｅＮＢの動作を示す図である。
【図９】実施形態に係る第２再配分パラメータの構成例を示す図である。
【図１０】実施形態に係る第２カバレッジに居るＵＥの動作を示す図である。
【図１１】実施形態の変更例に係る第２カバレッジに居るＵＥの動作を示す図である。
【図１２】第２実施形態に係るアイドルモードのＵＥの動作例を示す図である。
【図１３】第３実施形態に係る動作の一例を示す図である。
【図１４】付記に係る図である。
【図１５】付記に係る図である。
【発明を実施するための形態】
【０００５】
［第１実施形態］
（第１実施形態の概要）
アイドルモードの複数の無線端末がセル再選択によって再選択するセル及び／又は周波数を分散させるための再配分（ｒｅｄｉｓｔｒｉｂｕｔｉｏｎ）機能が知られている。具体的には、基地局は、再配分機能に用いる再配分パラメータをブロードキャストシグナリングによって送信する。アイドルモードの無線端末は、再配分パラメータを取得し、取得した再配分パラメータに基づいてセル再選択を行う。
【０００６】
このような再配分機能は、強化カバレッジ機能によって拡張されていないカバレッジ（第１カバレッジ）に居る無線端末に適用されることが想定されている。しかしながら、強化カバレッジ機能は、繰り返し送信等に起因してセルの負荷を高めるため、強化カバレッジ機能によって拡張されたカバレッジ（第２カバレッジ）に居る無線端末に対しても再配分機能を適用可能とすることが望まれる。
【０００７】
そこで、第１実施形態は、強化カバレッジ機能によって拡張されたカバレッジに居るアイドルモードの無線端末をセル再選択によって複数のセル及び／又は周波数に適切に分散させることを可能とするセル再選択制御を提供する。
【０００８】
第１実施形態に係るセル再選択制御は、移動通信システムにおける方法である。前記セル再選択制御方法は、基地局が、再配分機能に用いる再配分パラメータとして、第１カバレッジに居る無線端末に適用する第１再配分パラメータと、前記第１カバレッジの外側の第２カバレッジに居る無線端末に適用する第２再配分パラメータとをブロードキャストシグナリングによって送信するステップＡと、前記第２カバレッジに居るアイドルモードの無線端末が、前記ステップＡで送信された前記第２再配分パラメータを取得するステップＢと、当該無線端末が、前記ステップＢで取得した前記第２再配分パラメータを用いてセル再選択を行うステップＣとを備える。前記再配分機能は、アイドルモードの複数の無線端末がセル再選択によって再選択するセル及び／又は周波数を分散させる機能である。前記第２カバレッジは、繰り返し送信を含む強化カバレッジ機能によって拡張されたカバレッジである。
【０００９】
このようなセル再選択制御方法によれば、強化カバレッジ機能によって拡張されたカバレッジ（第２カバレッジ）に居る無線端末に対しても再配分機能を適用することができる。また、第１カバレッジに居る無線端末と第２カバレッジに居る無線端末とに個別の再配分パラメータを適用することができるため、第２カバレッジに居る無線端末がセル再選択によって再選択するセル及び／又は周波数を適切に分散させることができる。
【００１０】
（移動通信システム）
第１実施形態に係る移動通信システムの構成について説明する。図１は、第１実施形態に係る移動通信システムであるＬＴＥ（Ｌｏｎｇ  Ｔｅｒｍ  Ｅｖｏｌｕｔｉｏｎ）システムの構成を示す図である。ＬＴＥシステムは、３ＧＰＰ規格に基づく移動通信システムである。
【００１１】
ＬＴＥシステムは、無線端末（ＵＥ：Ｕｓｅｒ  Ｅｑｕｉｐｍｅｎｔ）１００、無線アクセスネットワーク（Ｅ−ＵＴＲＡＮ：Ｅｖｏｌｖｅｄ−ＵＭＴＳ  Ｔｅｒｒｅｓｔｒｉａｌ  Ｒａｄｉｏ  Ａｃｃｅｓｓ  Ｎｅｔｗｏｒｋ）１０、及びコアネットワーク（ＥＰＣ：Ｅｖｏｌｖｅｄ  Ｐａｃｋｅｔ  Ｃｏｒｅ）２０を備える。
【００１２】
ＵＥ１００は、移動型の通信装置である。ＵＥ１００は、自身が在圏するセル（サービングセル）を管理するｅＮＢ２００との無線通信を行う。
【００１３】
Ｅ−ＵＴＲＡＮ１０は、基地局（ｅＮＢ：ｅｖｏｌｖｅｄ  Ｎｏｄｅ−Ｂ）２００を含む。ｅＮＢ２００は、Ｘ２インターフェイスを介して相互に接続される。ｅＮＢ２００は、１又は複数のセルを管理する。ｅＮＢ２００は、自セルとの接続を確立したＵＥ１００との無線通信を行う。ｅＮＢ２００は、無線リソース管理（ＲＲＭ）機能、ユーザデータ（以下、単に「データ」という）のルーティング機能、モビリティ制御・スケジューリングのための測定制御機能等を有する。「セル」は、無線通信エリアの最小単位を示す用語として用いられる。「セル」は、ＵＥ１００との無線通信を行う機能又はリソースを示す用語としても用いられる。１つのセルは１つのキャリア周波数に属する。
【００１４】
ＥＰＣ２０は、モビリティ管理エンティティ（ＭＭＥ）及びサービングゲートウェイ（Ｓ−ＧＷ）３００を含む。ＭＭＥは、ＵＥ１００に対する各種モビリティ制御等を行う。ＭＭＥは、ＮＡＳ（Ｎｏｎ−Ａｃｃｅｓｓ  Ｓｔｒａｔｕｍ）シグナリングを用いてＵＥ１００と通信することにより、ＵＥ１００が在圏するトラッキングエリア（ＴＡ）の情報を管理する。トラッキングエリアは、複数のセルからなるエリアである。Ｓ−ＧＷは、データの転送制御を行う。ＭＭＥ及びＳ−ＧＷは、Ｓ１インターフェイスを介してｅＮＢ２００と接続される。
【００１５】
図２は、ＵＥ１００（無線端末）の構成を示す図である。ＵＥ１００は、受信部１１０、送信部１２０、及び制御部１３０を備える。
【００１６】
受信部１１０は、制御部１３０の制御下で各種の受信を行う。受信部１１０は、アンテナ及び受信機を含む。受信機は、アンテナが受信する無線信号をベースバンド信号（受信信号）に変換して制御部１３０に出力する。
【００１７】
送信部１２０は、制御部１３０の制御下で各種の送信を行う。送信部１２０は、アンテナ及び送信機を含む。送信機は、制御部１３０が出力するベースバンド信号（送信信号）を無線信号に変換してアンテナから送信する。
【００１８】
制御部１３０は、ＵＥ１００における各種の制御を行う。制御部１３０は、少なくとも１つのプロセッサ及びメモリを含む。メモリは、プロセッサにより実行されるプログラム、及びプロセッサによる処理に用いられる情報を記憶する。プロセッサは、ベースバンドプロセッサと、ＣＰＵ（Ｃｅｎｔｒａｌ  Ｐｒｏｃｅｓｓｉｎｇ  Ｕｎｉｔ）と、を含んでもよい。ベースバンドプロセッサは、ベースバンド信号の変調・復調及び符号化・復号等を行う。ＣＰＵは、メモリに記憶されるプログラムを実行して各種の処理を行う。プロセッサは、後述する処理を実行する。
【００１９】
図３は、ｅＮＢ２００（基地局）の構成を示す図である。ｅＮＢ２００は、送信部２１０、受信部２２０、制御部２３０、及びバックホール通信部２４０を備える。
【００２０】
送信部２１０は、制御部２３０の制御下で各種の送信を行う。送信部２１０は、アンテナ及び送信機を含む。送信機は、制御部２３０が出力するベースバンド信号（送信信号）を無線信号に変換してアンテナから送信する。
【００２１】
受信部２２０は、制御部２３０の制御下で各種の受信を行う。受信部２２０は、アンテナ及び受信機を含む。受信機は、アンテナが受信する無線信号をベースバンド信号（受信信号）に変換して制御部２３０に出力する。
【００２２】
制御部２３０は、ｅＮＢ２００における各種の制御を行う。制御部２３０は、少なくとも１つのプロセッサ及びメモリを含む。メモリは、プロセッサにより実行されるプログラム、及びプロセッサによる処理に用いられる情報を記憶する。プロセッサは、ベースバンドプロセッサと、ＣＰＵと、を含んでもよい。ベースバンドプロセッサは、ベースバンド信号の変調・復調及び符号化・復号等を行う。ＣＰＵは、メモリに記憶されるプログラムを実行して各種の処理を行う。プロセッサは、後述する処理を実行する。
【００２３】
バックホール通信部２４０は、Ｘ２インターフェイスを介して隣接ｅＮＢと接続される。バックホール通信部２４０は、Ｓ１インターフェイスを介してＭＭＥ／Ｓ−ＧＷ３００と接続される。バックホール通信部２４０は、Ｘ２インターフェイス上で行う通信及びＳ１インターフェイス上で行う通信等に用いられる。
【００２４】
図４は、ＬＴＥシステムにおける無線インターフェイスのプロトコルスタックの構成を示す図である。図４に示すように、無線インターフェイスプロトコルは、ＯＳＩ参照モデルの第１レイヤ乃至第３レイヤに区分されている。第１レイヤは物理（ＰＨＹ）レイヤである。第２レイヤは、ＭＡＣ（Ｍｅｄｉｕｍ  Ａｃｃｅｓｓ  Ｃｏｎｔｒｏｌ）レイヤ、ＲＬＣ（Ｒａｄｉｏ  Ｌｉｎｋ  Ｃｏｎｔｒｏｌ）レイヤ、及びＰＤＣＰ（Ｐａｃｋｅｔ  Ｄａｔａ  Ｃｏｎｖｅｒｇｅｎｃｅ  Ｐｒｏｔｏｃｏｌ）レイヤを含む。第３レイヤは、ＲＲＣ（Ｒａｄｉｏ  Ｒｅｓｏｕｒｃｅ  Ｃｏｎｔｒｏｌ）レイヤを含む。ＰＨＹレイヤ、ＭＡＣレイヤ、ＲＬＣレイヤ、ＰＤＣＰレイヤ、及びＲＲＣレイヤは、ＡＳ（Ａｃｃｅｓｓ  Ｓｔｒａｔｕｍ）レイヤを構成する。
【００２５】
ＰＨＹレイヤは、符号化・復号、変調・復調、アンテナマッピング・デマッピング、及びリソースマッピング・デマッピングを行う。ＵＥ１００のＰＨＹレイヤとｅＮＢ２００のＰＨＹレイヤとの間では、物理チャネルを介してデータ及び制御情報が伝送される。
【００２６】
ＭＡＣレイヤは、データの優先制御、ハイブリッドＡＲＱ（ＨＡＲＱ）による再送処理、及びランダムアクセスプロシージャ等を行う。ＵＥ１００のＭＡＣレイヤとｅＮＢ２００のＭＡＣレイヤとの間では、トランスポートチャネルを介してデータ及び制御情報が伝送される。ｅＮＢ２００のＭＡＣレイヤはスケジューラを含む。スケジューラは、上下リンクのトランスポートフォーマット（トランスポートブロックサイズ、変調・符号化方式（ＭＣＳ））及びＵＥ１００への割当リソースブロックを決定する。
【００２７】
ＲＬＣレイヤは、ＭＡＣレイヤ及びＰＨＹレイヤの機能を利用してデータを受信側のＲＬＣレイヤに伝送する。ＵＥ１００のＲＬＣレイヤとｅＮＢ２００のＲＬＣレイヤとの間では、論理チャネルを介してデータ及び制御情報が伝送される。
【００２８】
ＰＤＣＰレイヤは、ヘッダ圧縮・伸張、及び暗号化・復号化を行う。
【００２９】
ＲＲＣレイヤは、制御情報を取り扱う制御プレーンでのみ定義される。ＵＥ１００のＲＲＣレイヤとｅＮＢ２００のＲＲＣレイヤとの間では、各種設定のためのＲＲＣシグナリングが伝送される。ＲＲＣレイヤは、無線ベアラの確立、再確立及び解放に応じて、論理チャネル、トランスポートチャネル、及び物理チャネルを制御する。ＵＥ１００のＲＲＣとｅＮＢ２００のＲＲＣとの間に接続（ＲＲＣ接続）がある場合、ＵＥ１００はＲＲＣコネクティッドモードである。ＵＥ１００のＲＲＣとｅＮＢ２００のＲＲＣとの間に接続（ＲＲＣ接続）がない場合、ＵＥ１００はＲＲＣアイドルモードである。
【００３０】
ＲＲＣレイヤの上位に位置するＮＡＳレイヤは、セッション管理及びモビリティ管理等を行う。ＵＥ１００のＮＡＳレイヤとＭＭＥ３００ＣのＮＡＳレイヤとの間では、ＮＡＳシグナリングが伝送される。ＵＥ１００は、無線インターフェイスのプロトコル以外にアプリケーションレイヤ等の機能を有する。
【００３１】
図５は、ＬＴＥシステムにおいて用いられる無線フレームの構成を示す図である。無線フレームは、時間軸上で１０個のサブフレームで構成される。各サブフレームは、時間軸上で２個のスロットで構成される。各サブフレームの長さは１ｍｓである。各スロットの長さは０．５ｍｓである。各サブフレームは、周波数軸上で複数個のリソースブロック（ＲＢ）を含む。各サブフレームは、時間軸上で複数個のシンボルを含む。各リソースブロックは、周波数軸上で複数個のサブキャリアを含む。具体的には、１２個のサブキャリア及び１つのスロットにより１つのＲＢが構成される。１つのシンボル及び１つのサブキャリアにより１つのリソースエレメント（ＲＥ）が構成される。ＵＥ１００に割り当てられる無線リソース（時間・周波数リソース）のうち、周波数リソースはリソースブロックにより特定でき、時間リソースはサブフレーム（又はスロット）により特定できる。
【００３２】
下りリンクにおいて、各サブフレームの先頭数シンボルの区間は、主に下りリンク制御情報を伝送するための物理下りリンク制御チャネル（ＰＤＣＣＨ：Ｐｈｙｓｉｃａｌ  Ｄｏｗｎｌｉｎｋ  Ｃｏｎｔｒｏｌ  Ｃｈａｎｎｅｌ）として用いられる領域である。各サブフレームの残りの部分は、主に下りリンクデータを伝送するための物理下りリンク共有チャネル（ＰＤＳＣＨ：Ｐｈｙｓｉｃａｌ  Ｄｏｗｎｌｉｎｋ  Ｓｈａｒｅｄ  Ｃｈａｎｎｅｌ）として用いることができる領域である。
【００３３】
上りリンクにおいて、各サブフレームにおける周波数方向の両端部は、主に上りリンク制御情報を伝送するための物理上りリンク制御チャネル（ＰＵＣＣＨ：Ｐｈｙｓｉｃａｌ  Ｕｐｌｉｎｋ  Ｃｏｎｔｒｏｌ  Ｃｈａｎｎｅｌ）として用いられる領域である。各サブフレームにおける残りの部分は、主に上りリンクデータを伝送するための物理上りリンク共有チャネル（ＰＵＳＣＨ：Ｐｈｙｓｉｃａｌ  Ｕｐｌｉｎｋ  Ｓｈａｒｅｄ  Ｃｈａｎｎｅｌ）として用いることができる領域である。
【００３４】
（セル再選択の概要）
セル再選択動作の概要について説明する。アイドルモード（ＲＲＣアイドルモード）のＵＥ１００は、開始条件が満たされた場合に、現在のサービングセルに隣接する隣接セルの品質を測定し、選択条件を満たすセルの中からサービングセルとして用いるセルを選択する。
【００３５】
第１に、開始条件は、以下に示す通りである。
【００３６】
（Ａ１）現在のサービングセルの周波数の優先度よりも高い優先度を有する周波数：
ＵＥ１００は、高い優先度を有する周波数の品質を常に測定する。
【００３７】
（Ａ２）現在のサービングセルの周波数の優先度と等しい優先度又は低い優先度を有する周波数：
ＵＥ１００は、現在のサービングセルの品質が所定閾値を下回った場合に、等しい優先度又は低い優先度を有する周波数の品質を測定する。
【００３８】
第２に、選択条件は、以下に示す通りである。
【００３９】
（Ｂ１）隣接セルの周波数の優先度が現在のサービングセルの優先度よりも高い：
ＵＥ１００は、所定期間（ＴｒｅｓｅｌｅｃｔｉｏｎＲＡＴ）に亘ってＳｑｕａｌ＞ＴｈｒｅｓｈＸ，ＨｉｇｈＱの関係を満たすセル、若しくは、所定期間（ＴｒｅｓｅｌｅｃｔｉｏｎＲＡＴ）に亘ってＳｒｘｌｅｖ＞ＴｈｒｅｓｈＸ，ＨｉｇｈＰの関係を満たすセルを選択する。このようなケースにおいて、隣接セルが満たすべき基準を“Ｓ−ｃｒｉｔｅｒｉａ”と称することもある。
【００４０】
Ｓｑｕａｌは、セル選択品質レベルを表している。Ｓｑｕａｌは、Ｓｑｕａｌ＝Ｑｑｕａｌｍｅａｓ-（Ｑｑｕａｌｍｉｎ＋Ｑｑｕａｌｍｉｎｏｆｆｓｅｔ）−Ｑｏｆｆｓｅｔｔｅｍｐによって算出される。Ｑｑｕａｌｍｅａｓは、隣接セルの品質レベル（ＲＳＲＱ）である。Ｑｑｕａｌｍｉｎは、最小要求品質レベルである。Ｑｑｕａｌｍｉｎｏｆｆｓｅｔは、隣接セルに定常的に適用される所定オフセットである。Ｑｏｆｆｓｅｔｔｅｍｐは、隣接セルに一時的に適用されるオフセットである。ＴｈｒｅｓｈＸ，ＨｉｇｈＱは、所定閾値である。
【００４１】
Ｓｒｘｌｅｖは、セル選択受信電力を表している。Ｓｒｘｌｅｖは、Ｓｒｘｌｅｖ＝Ｑｒｘｌｅｖｍｅａｓ-（Ｑｒｘｌｅｖｍｉｎ＋Ｑｒｘｌｅｖｍｉｎｏｆｆｓｅｔ）-Ｐｃｏｍｐｅｎｓａｔｉｏｎ−Ｑｏｆｆｓｅｔｔｅｍｐによって算出される。Ｑｒｘｌｅｖｍｅａｓは、隣接セルの受信電力（ＲＳＲＰ）である。Ｑｒｘｌｅｖｍｉｎは、最小要求受信電力である。Ｑｒｘｌｅｖｍｉｎｏｆｆｓｅｔは、隣接セルに定常的に適用される所定オフセットである。Ｐｃｏｍｐｅｎｓａｔｉｏｎは、アップリンクの能力に関するパラメータである。Ｑｏｆｆｓｅｔｔｅｍｐは、隣接セルに一時的に適用されるオフセットである。ＴｈｒｅｓｈＸ，ＨｉｇｈＰは、所定閾値である。
【００４２】
（Ｂ２）隣接セルの周波数の優先度が現在のサービングセルの優先度と同じである：
ＵＥ１００は、現在のサービングセルのランキングＲｓ及び隣接セルのランキングＲｎを算出する。ＵＥ１００は、所定期間（ＴｒｅｓｅｌｅｃｔｉｏｎＲＡＴ）に亘ってＲｓよりも高いランキングＲｎを有するセルを対象セルとして選択する。このようなケースにおいて、隣接セルが満たすべき基準を“Ｒ−ｃｒｉｔｅｒｉａ”と称することもある。
【００４３】
Ｒｓは、Ｒｓ＝Ｑｍｅａｓ，ｓ＋ＱＨｙｓｔ−Ｑｏｆｆｓｅｔｔｅｍｐによって算出される。Ｒｎは、Ｒｎ＝Ｑｍｅａｓ，ｎ−Ｑｏｆｆｓｅｔ−Ｑｏｆｆｓｅｔｔｅｍｐによって算出される。Ｑｍｅａｓ，ｓは、現在のサービングセルの受信電力（ＲＳＲＰ）である。Ｑｍｅａｓ，ｎは、隣接セルの受信電力（ＲＳＲＰ）である。ＱＨｙｓｔは、現在のサービングセルが対象セルとして再選択されやすくするためのヒステリシス値である。Ｑｏｆｆｓｅｔｔｅｍｐは、現在のサービングセル及び隣接セルに一時的に適用されるオフセットである。
【００４４】
（Ｂ３）隣接セルの周波数の優先度が現在のサービングセルの優先度よりも低い：
ＵＥ１００は、所定期間（ＴｒｅｓｅｌｅｃｔｉｏｎＲＡＴ）に亘ってＳｑｕａｌ＜ＴｈｒｅｓｈＳｅｒｖｉｎｇ，ＬｏｗＱが満たされる、若しくは、所定期間（ＴｒｅｓｅｌｅｃｔｉｏｎＲＡＴ）に亘ってＳｒｘｌｅｖ＜ＴｈｒｅｓｈＳｅｒｖｉｎｇ，ＬｏｗＰが満たされるという前提下において、上述した（Ｂ１）と同様の手法によって隣接セルの中から対象セルを選択する。
【００４５】
但し、ＴｈｒｅｓｈＳｅｒｖｉｎｇ，ＬｏｗＱ及びＴｈｒｅｓｈＳｅｒｖｉｎｇ，ＬｏｗＰは、ＴｈｒｅｓｈＸ，ＨｉｇｈＱ及びＴｈｒｅｓｈＸ，ＨｉｇｈＰと同様に、所定閾値である。
【００４６】
対象セルの選択で用いる各種パラメータは、ｅＮＢ２００からブロードキャストされる情報（ＳＩＢ：Ｓｙｓｔｅｍ  Ｉｎｆｏｒｍａｔｉｏｎ  Ｂｌｏｃｋ）に含まれる。各種パラメータは、周波数の優先度（ｃｅｌｌＲｅｓｅｌｅｃｔｉｏｎＰｒｉｏｒｉｔｙ）、所定期間（ＴｒｅｓｅｌｅｃｔｉｏｎＲＡＴ）、各種オフセット（Ｑｑｕａｌｍｉｎｏｆｆｓｅｔ、Ｑｒｘｌｅｖｍｉｎｏｆｆｓｅｔ、Ｑｏｆｆｓｅｔｔｅｍｐ、ＱＨｙｓｔ、Ｑｏｆｆｓｅｔ）、各種閾値（ＴｈｒｅｓｈＸ，ＨｉｇｈＱ、ＴｈｒｅｓｈＸ，ＨｉｇｈＰ、ＴｈｒｅｓｈＳｅｒｖｉｎｇ，ＬｏｗＱ、ＴｈｒｅｓｈＳｅｒｖｉｎｇ，ＬｏｗＰ）を含む。
【００４７】
また、Ｒｓは、上の式に代わって、Ｒｓ  ＝  Ｑｍｅａｓ，ｓ  ＋  ＱＨｙｓｔ  -  Ｑｏｆｆｓｅｔｔｅｍｐ  ＋  ＱｏｆｆｓｅｔＳＣＰＴＭ  ＋  ＱｏｆｆｓｅｔＲｅｄｉｓｔｒＣＥによって算出されてもよい。また、Ｒｎ  は、上の式に代わって、Ｒｎ  ＝  Ｑｍｅａｓ，ｎ  -  Ｑｏｆｆｓｅｔ  -  Ｑｏｆｆｓｅｔｔｅｍｐ  ＋  ＱｏｆｆｓｅｔＳＣＰＴＭ  ＋  ＱｏｆｆｓｅｔＲｅｄｉｓｔｒＣＥによって算出されてもよい。Ｑｍｅａｓ，ｓ、Ｑｍｅａｓ，ｎ、ＱＨｙｓｔ及びＱｏｆｆｓｅｔｔｅｍｐは、上のものと同じでよい。ＱｏｆｆｓｅｔＳＣＰＴＭは、ＳＣ−ＰＴＭの周波数に一時的に適用されるものであって、ＳＣ−ＰＴＭの周波数上の全てのセルに適用される。もし、ＱｏｆｆｓｅｔＳＣＰＴＭが有効であれば、異なる周波数のセルのためのＱｏｆｆｓｅｔは使用されない。ＱｏｆｆｓｅｔＲｅｄｉｓｔｒＣＥは、強化カバレッジ機能によって拡張されたカバレッジに居るＵＥ１００又はＮＢ−ＩｏＴのＵＥ１００に適用されるオフセットである。このオフセットは、タイマ（Ｔ３６０）が動作している間及び／又はタイマ（Ｔ３６０）が満了又は停止によってトリガされた再配分の手順が完了するまで、再配分のターゲット周波数又はセルに適用される。
【００４８】
また、ＱｏｆｆｓｅｔＳＣＰＴＭ及びＱｏｆｆｓｅｔＲｅｄｉｓｔｒＣＥも、上の各種パラメータと同様に、ｅＮＢ２００からブロードキャストされる情報に含まれる。
【００４９】
（再配分機能の概要）
第１実施形態に係るＬＴＥシステムは、再配分（ｒｅｄｉｓｔｒｉｂｕｔｉｏｎ）機能を有する。再配分機能は、アイドルモードの複数のＵＥがセル再選択によって再選択するセル及び／又は周波数を分散させる機能である。具体的には、再配分機能において、ＵＥ１００は、ｅＮＢ２００からブロードキャストシグナリング（例えば、ＳＩＢ）によって送信される再配分パラメータに基づいて再配分ターゲット（周波数又はセル）を選択する。例えば、ＵＥ１００は、再配分ターゲットに対して別周波数（ｉｎｔｅｒ−ｆｒｅｑｕｅｎｃｙ）のセル再選択を行う。
【００５０】
ＵＥ１００は、再配分ターゲット（周波数又はセル）に再配分され、一定期間（すなわち、有効タイマ）の間、再配分された再配分ターゲットが最も高い優先度（すなわち、任意のネットワーク設定の優先度よりも高い）を有するとみなす。ネットワーク設定の優先度とは、例えば、ＳＩＢに含まれる周波数優先度（ｃｅｌｌＲｅｓｅｌｅｃｔｉｏｎＰｒｉｏｒｉｔｙ）である。このような再配分は、ページングによってトリガされ得る。一定期間（有効タイマ）は、Ｔ３６０と称される。再配分がページングによってトリガされない場合、ＵＥ１００は、周期的に（すなわち、Ｔ３６０が満了する度に）、再配分動作を行う。
【００５１】
再配分機能によれば、アイドルモードの複数のＵＥ１００が特定のセル又は特定の周波数に集中している状況下において、当該複数のＵＥ１００を（別の周波数の）別のセルに再配分することができる。よって、特定のセル又は特定の周波数に負荷が集中することを回避することができる。
【００５２】
（ｅＭＴＣ及びＮＢ−ＩｏＴの概要）
ｅＭＴＣ及びＮＢ−ＩｏＴの概要について説明する。第１実施形態において、ＭＴＣ及びＩｏＴサービスを対象とした新たなカテゴリのＵＥ１００が存在するシナリオを想定する。新たなカテゴリのＵＥ１００は、システム送受信帯域（ＬＴＥ送受信帯域幅）の一部のみに送受信帯域幅が制限されるＵＥ１００である。新たなＵＥカテゴリは、例えば、カテゴリＭ１及びカテゴリＮＢ（Ｎａｒｒｏｗ  Ｂａｎｄ）−ＩｏＴと称される。カテゴリＭ１は、ｅＭＴＣ（ｅｎｈａｎｃｅｄ  Ｍａｃｈｉｎｅ  Ｔｙｐｅ  Ｃｏｍｍｕｎｉｃａｔｉｏｎｓ）ＵＥが属するカテゴリである。カテゴリＮＢ−ＩｏＴ（カテゴリＮＢ１）は、ＮＢ−ＩｏＴ  ＵＥが属するカテゴリである。カテゴリＭ１は、ＵＥ１００（ｅＭＴＣ  ＵＥ）の送受信帯域幅を例えば１．０８ＭＨｚ（すなわち、６リソースブロックの帯域幅）に制限する。カテゴリＮＢ−ＩｏＴ（カテゴリＮＢ１）は、ＵＥ１００（ＮＢ−ＩｏＴ  ＵＥ）の送受信帯域幅を１８０ｋＨｚ（すなわち、１リソースブロックの帯域幅）にさらに制限する。このような狭帯域化により、ｅＭＴＣ  ＵＥ及びＮＢ−ＩｏＴ  ＵＥに要求される低コスト化及び低消費電力化が実現可能となる。
【００５３】
図６は、ｅＭＴＣ  ＵＥ及びＮＢ−ＩｏＴ  ＵＥが取り扱う周波数チャネルを示す図である。図６に示すように、ＬＴＥシステムのシステム周波数帯域の周波数帯域幅は１０ＭＨｚであり得る。システム送受信帯域の帯域幅は、例えば、５０リソースブロック＝９ＭＨｚである。ｅＭＴＣ  ＵＥが対応可能な周波数チャネルの帯域幅は、６リソースブロック＝１．０８ＭＨｚ以内である。ｅＭＴＣ  ＵＥが対応可能な６リソースブロック以内の周波数チャネルは、「狭帯域（ＮＢ：Ｎａｒｒｏｗ  Ｂａｎｄ）」と称される。ＮＢ−ＩｏＴ  ＵＥが対応可能な周波数チャネルの帯域幅は、１リソースブロック＝１８０ｋＨｚである。ＮＢ−ＩｏＴ  ＵＥが対応可能な１リソースブロックの周波数チャネルは、「キャリア（ｃａｒｒｉｅｒ）」と称される。
【００５４】
ｅＭＴＣ  ＵＥは、ＬＴＥ送受信帯域幅内で運用される。ＮＢ−ＩｏＴ  ＵＥは、ＬＴＥ送受信帯域幅内で運用される形態、ＬＴＥ送受信帯域幅外のガードバンドで運用される形態、及びＮＢ−ＩｏＴ専用の周波数帯域内で運用される形態をサポートする。
【００５５】
ｅＭＴＣ  ＵＥ及びＮＢ−ＩｏＴ  ＵＥは、カバレッジ拡張を実現するために、繰り返し送信等を用いた強化カバレッジ（ＥＣ：Ｅｎｈａｎｃｅｄ  Ｃｏｖｅｒａｇｅ）機能をサポートする。強化カバレッジ機能は、複数のサブフレームを用いて同一信号を繰り返し送信する繰り返し送信（ｒｅｐｅｔｉｔｉｏｎ）を含んでもよい。繰り返し送信の回数が多いほど、カバレッジを拡張することができる。強化カバレッジ機能は、送信信号の電力密度を上げる電力ブースト（ｐｏｗｅｒ  ｂｏｏｓｔｉｎｇ）を含んでもよい。一例として、送信信号の周波数帯域幅を狭くする狭帯域送信により電力密度を上げる。送信信号の電力密度を上げるほど、カバレッジを拡張することができる。強化カバレッジ機能は、送信信号に用いるＭＣＳを下げる低ＭＣＳ（ｌｏｗｅｒ  ＭＣＳ）送信を含んでもよい。データレートが低く、誤り耐性の高いＭＣＳを用いて送信を行うことにより、カバレッジを拡張することができる。
【００５６】
ＲＲＣアイドルモードのｅＭＴＣ  ＵＥ及びＮＢ−ＩｏＴ  ＵＥは、通常のカバレッジのための第１セル選択基準（第１Ｓ−ｃｒｉｔｅｒｉａ）が満たされず、強化カバレッジのための第２セル選択基準（第２Ｓ−ｃｒｉｔｅｒｉａ）が満たされた場合、自身が強化カバレッジに居ると判定してもよい。「強化カバレッジに居るＵＥ」とは、セルにアクセスするために強化カバレッジ機能（強化カバレッジモード）を用いることが必要とされるＵＥを意味してもよい。
【００５７】
強化カバレッジ機能は、カバレッジを拡張する度合いが異なる複数の強化カバレッジレベルを有してもよい。ｅＭＴＣ  ＵＥ及びＮＢ−ＩｏＴ  ＵＥは、ＲＳＲＰ（Ｒｅｆｅｒｅｎｃｅ  Ｓｉｇｎａｌ  Ｒｅｃｅｉｖｅｄ  Ｐｏｗｅｒ）を測定し、測定したＲＳＲＰを強化カバレッジレベルごとのＲＳＲＰ閾値と比較することにより、自身の強化カバレッジレベルを決定する。強化カバレッジレベルは、少なくとも繰り返し送信における送信回数（すなわち、Ｒｅｐｅｔｉｔｉｏｎ回数）と関連する。
【００５８】
強化カバレッジに居るＵＥは、上述したセル再選択における周波数の優先度に拘わらず、受信電力（ＲＳＲＰ）に基づくランキングによってセル再選択を行う。例えば、ＵＥは、現在のサービングセルのランキングＲｓ及び隣接セルのランキングＲｎを算出し、所定期間（ＴｒｅｓｅｌｅｃｔｉｏｎＲＡＴ）に亘ってＲｓよりも高いランキングＲｎを有するセルを対象セル（新たなサービングセル）として選択する。
【００５９】
（セル再選択制御方法）
第１実施形態に係るセル再選択制御方法について説明する。
【００６０】
図７は、第１実施形態に係るセル再選択制御方法の適用シーンを示す図である。
【００６１】
図７に示すように、ｅＮＢ２００が管理するセルは、第１カバレッジと、第１カバレッジの外側の第２カバレッジとを含む。第１カバレッジは、強化カバレッジ機能によって拡張されていないカバレッジ（すなわち、通常のカバレッジ）である。第２カバレッジは、強化カバレッジ機能によって拡張されたカバレッジ（すなわち、強化カバレッジ）である。第１実施形態において、第２カバレッジに居るＵＥ１００がｅＭＴＣ  ＵＥである一例を説明する。但し、第２カバレッジに居るＵＥ１００は、ＮＢ−ＩｏＴ  ＵＥであってもよい。
【００６２】
図８は、第１実施形態に係るｅＮＢ２００の動作を示す図である。
【００６３】
図８に示すように、ステップＳ１１において、ｅＮＢ２００は、再配分機能に用いる再配分パラメータとして、第１カバレッジに居るＵＥに適用する第１再配分パラメータをブロードキャストシグナリング（例えば、ＳＩＢ）によって送信する。
【００６４】
第１再配分パラメータは、例えば、セルごとの確率を示すパラメータ（ｒｅｄｉｓｔｒｉｂｕｔｉｏｎＦａｃｔｏｒＣｅｌｌ）又は周波数ごとの確率を示すパラメータ（ｒｅｄｉｓｔｒｉｂｕｔｉｏｎＦａｃｔｏｒＦｒｅｑ）を含む。第１カバレッジに居るＵＥは、第１再配分パラメータを取得し、第１再配分パラメータを用いてセル再選択を行う。具体的には、第１カバレッジに居るＵＥは、自ＵＥの識別子（ＩＭＳＩ：Ｉｎｔｅｒｎａｔｉｏｎａｌ  Ｍｏｂｉｌｅ  Ｓｕｂｓｃｒｉｂｅｒ  Ｉｄｅｎｔｉｔｙ）とセル又は周波数ごとの確率を示すパラメータとに基づいて、再配分ターゲット（周波数又はセル）を選択する。このような動作の詳細については、例えば３ＧＰＰ仕様書「ＴＳ  ３６．３０４  Ｖ１３．３．０  （２０１６−０９）」の５．２．４．１０章及び５．２．４．１０．１章を参照されたい。ｅＮＢ２００は、第１再配分パラメータを、ＳＩＢタイプ３及びＳＩＢタイプ５によって送信する。
【００６５】
ステップＳ１２において、ｅＮＢ２００は、再配分機能に用いる再配分パラメータとして、第２カバレッジに居るＵＥに適用する第２再配分パラメータをブロードキャストシグナリングによって送信する。ステップＳ１２は、ステップＳ１１と同時に行われてもよい。
【００６６】
第２再配分パラメータに含まれる各パラメータの種類は、第１再配分パラメータに含まれる各パラメータの種類と同じであってもよい。第２再配分パラメータに含まれるパラメータの値は、第１再配分パラメータに含まれるパラメータの値と異なる値に設定することができる。ｅＮＢ２００は、第２再配分パラメータを、ＳＩＢタイプ３及びＳＩＢタイプ５によって送信してもよい。一例として、第２再配分パラメータは、ＳＩＢタイプ３及びＳＩＢタイプ５において、第１再配分パラメータとは異なる情報要素（ＩＥ）として設けられる。或いは、第２再配分パラメータは、ＳＩＢタイプ３及びＳＩＢタイプ５とは異なるＳＩＢに設けられてもよい。ｅＮＢ２００は、第２再配分パラメータを含むＳＩＢの送信に、繰り返し送信を含む強化カバレッジ機能を適用する。
【００６７】
ｅＮＢ２００は、第２再配分パラメータを、強化カバレッジレベルごとに個別に送信してもよい。例えば、図９に示すように、第２再配分パラメータを含むＳＩＢにおいて、強化カバレッジレベルごとの第２再配分パラメータのリストが設けられてもよい。図９に示す例において、強化カバレッジレベル＃０〜＃３に第２再配分パラメータ＃０〜＃３がそれぞれ対応付けられている。なお、強化カバレッジレベルが高いほど、繰り返し送信の回数が多くなり、カバレッジを拡張する度合いが大きくなる。よって、強化カバレッジレベルが高いほど、セル（ｅＮＢ２００）の負荷が高くなる。よって、強化カバレッジレベルごとに個別の第２再配分パラメータを規定することによって、セル（ｅＮＢ２００）の負荷分散をきめ細かく行うことが可能となる。
なお、ｅＮＢ２００は、ステップＳ１２において、強化カバレッジレベルに対応する第２再配分パラメータを送信する代わりに、強化カバレッジモード（強化カバレッジ機能）に対応する第２再配分パラメータを送信するものとしてもよい。例えば、図９に示すリストにおける「強化カバレッジレベル♯〇」を「強化カバレッジモード♯〇」に置き換えたリストがＳＩＢに含まれていてもよい。強化カバレッジモードは、例えば、複数のモード（強化カバレッジモードＡ及びＢ）がある。強化カバレッジモードＡ及びＢは、それぞれＵＥ１００のカテゴリ（カテゴリＭ１、Ｍ２又は０以上）毎にＵＥ１００によって送信されるＰＤＳＣＨ／ＰＵＳＣＨの最大帯域（物理リソースブロック）が定められている。強化カバレッジモードＡ及びＢで、それぞれ、ＵＥ１００のカテゴリ毎のＰＤＳＣＨ／ＰＵＳＣＨの最大帯域が異なってもよい。また、強化カバレッジモードＡは、繰り返し送信（ｒｅｐｅｔｉｔｉｏｎ）が無いか又は繰り返し送信回数が少ないモードであって、強化カバレッジモードＢは、強化カバレッジモードＢに比べて繰り返し送信回数が多いモードであってもよい。
【００６８】
図１０は、第１実施形態に係る第２カバレッジに居るＵＥ１００の動作を示す図である。
【００６９】
図１０に示すように、ステップＳ２１において、ＵＥ１００は、第２再配分パラメータを受信していない状態において、ｅＮＢ２００が指定する優先度に拘わらず、受信電力（ＲＳＲＰ）に基づくランキングによってセル再選択を行う。例えば、ＵＥは、現在のサービングセルのランキングＲｓ及び隣接セルのランキングＲｎを算出し、所定期間（ＴｒｅｓｅｌｅｃｔｉｏｎＲＡＴ）に亘ってＲｓよりも高いランキングＲｎを有するセルを対象セル（新たなサービングセル）として選択する。
【００７０】
ステップＳ２２において、ＵＥ１００は、第２再配分パラメータを含むＳＩＢを受信し、ＳＩＢに含まれる第２再配分パラメータを取得する。第２再配分パラメータが強化カバレッジレベルごとに個別に送信される場合、ＵＥ１００は、当該ＵＥ１００に適用される強化カバレッジレベルに対応する第２再配分パラメータを取得してもよい。例えば、図９に示すリストがＳＩＢに含まれる場合において、ＵＥ１００が強化カバレッジレベル＃２の強化カバレッジ（第２カバレッジ）に居ると仮定する。この場合、ＵＥ１００は、図９に示すリストから、強化カバレッジレベル＃２に対応する第２再配分パラメータ＃２を取得する。
【００７１】
ステップＳ２３Ａにおいて、ＵＥ１００は、ランキングに代えて、第２再配分パラメータと当該ＵＥ１００の識別子とに基づいてセル再選択を行う。具体的には、ステップＳ２１のランキングに基づくセル再選択に代えて、第１カバレッジに居るＵＥと同様な方法によってセル再選択を行う。例えば、ＵＥ１００は、自ＵＥの識別子（ＩＭＳＩ）とセル又は周波数ごとの確率を示すパラメータとに基づいて、再配分ターゲット（周波数又はセル）を選択する。再配分ターゲットとして現在のサービングセル（又は現在のサービング周波数）が選択された場合、ＵＥ１００は、現在のサービングセル（又は現在のサービング周波数）を維持してもよい。再配分ターゲットとして現在のサービングセル（又は現在のサービング周波数）とは異なるセル（又は周波数）が選択された場合、ＵＥ１００は、再配分ターゲットに再配分される。再配分ターゲットに再配分された場合、ＵＥ１００は、一定期間（すなわち、有効タイマ）の間、再配分された再配分ターゲットが最も高い優先度（すなわち、任意のネットワーク設定の優先度よりも高い）を有するとみなす。
【００７２】
このような再配分は、ページングによってトリガされ得る。一定期間（有効タイマ）に相当するＴ３６０は、第２再配分パラメータに含まれてもよい。再配分がページングによってトリガされない場合、ＵＥ１００は、周期的に（Ｔ３６０が満了する度に）再配分動作を行う。
【００７３】
ＵＥ１００は、第２再配分パラメータがブロードキャストされている間は、第２再配分パラメータをセル再選択に適用すると判断してもよい。再配分がページングによってトリガされる場合、ＵＥ１００は、第２再配分パラメータを取得した後、再配分がページングによってトリガされた際に第２再配分パラメータをセル再選択に適用してもよい。再配分がページングによってトリガされない場合、ＵＥ１００は、一定期間（有効タイマ）に相当するＴ３６０が動作中である間は第２再配分パラメータをセル再選択に適用すると判断してもよい。なお、再配分がページングによってトリガされるか否かを示す情報は第２再配分パラメータに含まれてもよい。
【００７４】
このように、第１実施形態によれば、強化カバレッジ機能によって拡張されたカバレッジ（第２カバレッジ）に居るＵＥ１００に対しても再配分機能を適用することができる。また、第１カバレッジに居るＵＥと第２カバレッジに居るＵＥ１００とに個別の再配分パラメータを適用することができるため、第２カバレッジに居るＵＥ１００がセル再選択によって再選択するセル及び／又は周波数を適切に分散させることができる。
【００７５】
第１実施形態において、第２再配分パラメータは、少なくとも同一周波数内（ｉｎｔｒａ−ｆｒｅｑｕｅｎｃｙ）におけるセル再選択に適用されてもよい。なお、一般的な再配分機能において、再配分パラメータは、異周波数間（ｉｎｔｅｒ−ｆｒｅｑｕｅｎｃｙ）におけるセル再選択にのみ適用されることに留意すべきである。強化カバレッジ機能によって拡張されたカバレッジ（第２カバレッジ）に居るＵＥ１００は、移動しないＵＥであることが想定され、異周波数の隣接セルを検出することができず、同一周波数の隣接セルのみを検出可能であることがあり得る。よって、第２再配分パラメータを同一周波数内におけるセル再選択に適用することによって、第２再配分パラメータを用いて同一周波数の隣接セルへのセル再選択を可能とすることができる。かかる第２再配分パラメータは、同一周波数内用の再配分パラメータとして、異周波数間用の再配分パラメータとは別に送受信されてもよい。かかる第２再配分パラメータは、同一周波数内のセル固有のパラメータとして送受信されてもよい。
【００７６】
（変更例）
第１実施形態の変更例について説明する。上述した第１実施形態において、第２カバレッジに居るＵＥ１００は、第２再配分パラメータを取得した後、ランキングに代えて、第２再配分パラメータと当該ＵＥ１００の識別子とに基づいてセル再選択を行っていた。これに対し、第１実施形態の変更例において、第２カバレッジに居るＵＥ１００は、第２再配分パラメータを取得した後、ランキングに所定のオフセット値を適用することによってセル再選択を行う。
【００７７】
第１実施形態の変更例において、ｅＮＢ２００は、ランキングに適用されるオフセット値を第２再配分パラメータに含めてもよい。ｅＮＢ２００は、オフセット値を含む第２再配分パラメータを強化カバレッジレベルごとに個別に送信してもよい（図９参照）。オフセット値は、特定のセル又は特定の周波数に対応する受信電力（すなわち、ランキング）を高くするように調整する正のオフセット値であってもよい。オフセット値は、特定のセル又は特定の周波数に対応する受信電力（すなわち、ランキング）を低くするように調整する負のオフセット値であってもよい。
【００７８】
オフセット値は、無限大の値であってもよい。正の無限大の値である場合、当該オフセット値に対応する特定のセル又は特定の周波数が最高優先度に設定され、当該特定のセル又は当該特定の周波数が必然的に再配分ターゲットとして選択される。或いは、オフセット値は、有限の値（例えば、５ｄＢ）であってもよい。なお、有限の値である場合には、非常に大きな正の有限の値であってもよい。正の有限の値である場合、当該オフセット値に対応する特定のセル又は特定の周波数が必ずしも最高優先度に設定されず、当該特定のセル又は特定の周波数が最高優先度に設定され易くなる。
【００７９】
オフセット値は、第２再配分パラメータに含まれていなくてもよい。オフセット値は、仕様で定められた値がＵＥ１００に予め設定（ｐｒｅｃｏｎｆｉｇｕｒｅ）されていてもよい。以下においては、オフセット値が第２再配分パラメータに含まれている一例を説明する。
【００８０】
ＵＥ１００は、セル再選択の前では、オフセット値（例えば、無限大又は非常に大きな正の有限の値）をターゲットとするセル及び／又は周波数にのみ適用してもよい。つまり、ＵＥ１００は、セル再選択の前では、隣接セルのランキングＲｎの算出にのみ当該オフセット値を用い、サービングセルのランキングＲｓの算出には当該オフセット値を用いなくてもよい。ここでいうオフセット値は、Ｒｓを求める式内のＱｏｆｆｓｅｔｔｅｍｐ又はＱｏｆｆｓｅｔＲｅｄｉｓｔｒＣＥであってもよい。つまり、ここでいうオフセット値（無限大又は非常に大きな正の有限の値）は、Ｑｏｆｆｓｅｔｔｅｍｐ又はＱｏｆｆｓｅｔＲｅｄｉｓｔｒＣＥを指し、当該値はＲｎの算出にのみ用いられてもよい（Ｒｓの算出に用いられるＱｏｆｆｓｅｔｔｅｍｐ又はＱｏｆｆｓｅｔＲｅｄｉｓｔｒＣＥの値は、Ｒｎの算出に用いられる値と異なってもよい）。そして、ＵＥ１００は、セル再選択後では、タイマ（Ｔ３６０）が動作している間（タイマが満了又は停止する前）に、選択したサービングセル及び／又は周波数にのみ当該オフセット値を適用してもよい。つまり、ＵＥ１００は、セル再選択後では、サービングセルのランキングＲｓの算出にのみ当該オフセット値を用い、隣接セルのランキングＲｎの算出には用いなくてもよい。
【００８１】
また、ＵＥ１００は、タイマ（Ｔ３６０）の満了又は停止によって再配分の手順がトリガされた場合、当該再配分の手順が完了するまでは、ランキングにオフセット値（例えば、無限大又は非常に大きな正の有限の値）を適用し続けてもよい。
【００８２】
図１１は、第１実施形態の変更例に係る第２カバレッジに居るＵＥ１００の動作を示す図である。
【００８３】
図１１に示すように、ステップＳ２１は、上述した第１実施形態と同様である。
【００８４】
ステップＳ２２において、ＵＥ１００は、第２再配分パラメータを含むＳＩＢを受信し、ＳＩＢに含まれる第２再配分パラメータを取得する。第２再配分パラメータは、セルごとのオフセット値又は周波数ごとのオフセット値を含んでもよい。第２再配分パラメータは、特定のセルの識別子とオフセット値との組み合わせ、又は特定の周波数の識別力とオフセット値との組み合わせを含んでもよい。第２再配分パラメータが強化カバレッジレベルごとに個別に送信される場合、ＵＥ１００は、当該ＵＥ１００に適用される強化カバレッジレベルに対応する第２再配分パラメータを取得してもよい。
【００８５】
ステップＳ２３Ｂにおいて、ＵＥ１００は、ランキングに所定のオフセット値を適用することによってセル再選択を行う。例えば、ＵＥは、現在のサービングセルのランキングＲｓ及び隣接セルのランキングＲｎを算出し、ランキングにオフセット値を適用し、所定期間（ＴｒｅｓｅｌｅｃｔｉｏｎＲＡＴ）に亘って、オフセット付きのランキングが最も高いセルを対象セル（新たなサービングセル）として選択する。
【００８６】
ＵＥ１００は、第２再配分パラメータがブロードキャストされている間は、第２再配分パラメータをセル再選択に適用すると判断してもよい。再配分がページングによってトリガされる場合、ＵＥ１００は、第２再配分パラメータを取得した後、再配分がページングによってトリガされた際に第２再配分パラメータをセル再選択に適用してもよい。なお、再配分がページングによってトリガされるか否かを示す情報は第２再配分パラメータに含まれてもよい。再配分がページングによってトリガされない場合、ＵＥ１００は、一定期間（有効タイマ）に相当するＴ３６０が動作中である間は第２再配分パラメータをセル再選択に適用すると判断してもよい。
【００８７】
なお、ｅＮＢ２００は、ステップＳ２２において、ＳＩＢによって送信する第２再配分パラメータを強化カバレッジレベルに対応する代わりに、強化カバレッジモード（強化カバレッジ機能）に対応するものとしてもよい。なお、第２再配分パラメータは、ランキングに適用されるオフセット値を含んでもよい。オフセット値は、無限大又は非常に大きな有限の値であってもよい。なお、第２再配分パラメータは、強化カバレッジモードに加えて、強化カバレッジレベルにも対応してもよい。強化カバレッジモードは、例えば、複数のモード（強化カバレッジモードＡ及びＢ）がある。強化カバレッジモードＡ及びＢでは、それぞれＵＥ１００のカテゴリ（カテゴリＭ１、Ｍ２又は０以上）毎にＵＥ１００によって送信されるＰＤＳＣＨ／ＰＵＳＣＨの最大帯域（物理リソースブロック）が定められている。強化カバレッジモードＡ及びＢで、それぞれ、ＵＥ１００のカテゴリ毎のＰＤＳＣＨ／ＰＵＳＣＨの最大帯域が異なってもよい。また、強化カバレッジモードＡは、繰り返し送信（ｒｅｐｅｔｉｔｉｏｎ）が無いか又は繰り返し送信回数が少ないモードであって、強化カバレッジモードＢは、強化カバレッジモードＢに比べて繰り返し送信回数が多いモードであってもよい。ＵＥは、ステップＳ２３Ｂにおいて、受信したＳＩＢに含まれる第２再配分パラメータのうち、自身が適用している強化カバレッジモードに対応する第２再配分パラメータを適用し、当該第２再配分パラメータを使用してセル再選択をしてもよい。
【００８８】
［第２実施形態］
第２実施形態について、第１実施形態との相違点を主として説明する。
【００８９】
（第２実施形態の概要）
上述した第１実施形態において、再配分（ｒｅｄｉｓｔｒｉｂｕｔｉｏｎ）機能を利用して、強化カバレッジ機能によって拡張されたカバレッジに居るアイドルモードのＵＥ１００をセル再選択によって複数のセル及び／又は周波数に適切に分散させる動作を説明した。
【００９０】
第２実施形態は、再配分機能を利用せずに、通常のセル再選択のプロシージャを改良することによって第１実施形態と同様な効果を得ることを可能とする実施形態である。第２実施形態は、強化カバレッジ機能によって拡張されたカバレッジに居るアイドルモードのＵＥ１００を主として対象とする。但し、第２実施形態は、通常のカバレッジに居るアイドルモードのＵＥ１００を対象としてもよい。
【００９１】
上述したように、強化カバレッジに居るＵＥ１００は、セル再選択における周波数の優先度に拘わらず、受信電力（ＲＳＲＰ）に基づくランキングによってセル再選択を行う。例えば、ＵＥは、現在のサービングセルのランキングＲｓ及び隣接セルのランキングＲｎを算出し、所定期間（ＴｒｅｓｅｌｅｃｔｉｏｎＲＡＴ）に亘ってＲｓよりも高いランキングＲｎを有するセルを対象セル（新たなサービングセル）として選択する。例えば、Ｒｓは、Ｒｓ＝Ｑｍｅａｓ，ｓ＋ＱＨｙｓｔ−Ｑｏｆｆｓｅｔｔｅｍｐによって算出される。Ｒｎは、Ｒｎ＝Ｑｍｅａｓ，ｎ−Ｑｏｆｆｓｅｔ−Ｑｏｆｆｓｅｔｔｅｍｐによって算出される。ここで、各種オフセット値（Ｑｏｆｆｓｅｔｔｅｍｐ、ＱＨｙｓｔ、Ｑｏｆｆｓｅｔ）は、ｅＮＢ２００からブロードキャストされるＳＩＢに含まれるセル再選択パラメータの一部である。
【００９２】
このような前提下において、負荷が高い第１セルにおいてセル再選択パラメータ（以下、「第１セル再選択パラメータ」という）を変更することによって、第１セルに居るＵＥ１００に第２セル（隣接セル）へのセル再選択を行わせて、第１セルの負荷を第２セルに分散させることが考えられる。ＵＥ１００は、第２セルへのセル再選択を行うと、第２セルにおいてブロードキャストされているＳＩＢを用いてセル再選択を行う。具体的には、ＵＥ１００は、第２セルから取得したセル再選択パラメータ（以下、「第２セル再選択パラメータ」という）を用いて上記のランキング動作を行い、第２セルに留まるか又は隣接セルへのセル再選択を行うかを判断する。ここで、第２セル再選択パラメータが不適切なものであると、ＵＥ１００は、第１セルから第２セルへのセル再選択を行った直後に、第２セル再選択パラメータを用いて第２セルから第１セルへのセル再選択を行うことがある。このようなピンポン現象が生じると、第１セルの負荷を第２セルに分散させることができない。
【００９３】
負荷が高い第１セルにおいて第１セル再選択パラメータを変更する場合、第２セルも第２セル再選択パラメータを変更することによって、ピンポン現象の発生を回避することも考えられる。しかしながら、セルの負荷分散のためにセル再選択パラメータを変更する場合には、セル再選択パラメータを頻繁に（動的に）変更可能であることが必要とされる。第１セルにおいて第１セル再選択パラメータを変更する度に第２セルも第２セル再選択パラメータを変更することは非効率であり、望ましい方法ではない。
【００９４】
かかる問題を解決するために、第２実施形態に係るセル再選択制御方法は、第１セルをサービングセルとして選択しているＵＥ１００が、第１セルからブロードキャストされる第１セル再選択パラメータを受信するステップと、ＵＥ１００が、第１セル再選択パラメータを用いて、第１セルとは異なる第２セルをサービングセルとして再選択するステップと、ＵＥ１００が、第２セルをサービングセルとして再選択してから所定期間が経過するまで、第２セルからブロードキャストされる第２セル再選択パラメータを用いるセル再選択の開始を延期するステップとを備える。
【００９５】
このように、第１セル再選択パラメータを用いて第１セルから第２セルへのセル再選択を行ったＵＥ１００は、第２セルを再選択してから所定期間が経過するまで、第２セルからブロードキャストされる第２セル再選択パラメータを用いるセル再選択の開始を延期する。これにより、ＵＥ１００が、第１セルから第２セルへのセル再選択を行った直後に、第２セル再選択パラメータを用いて第２セルから第１セルへのセル再選択を行うこと、すなわちピンポン現象を防止することができる。
【００９６】
セル再選択は、サービングセルに対応する第１受信電力に応じて定められる第１ランキングと隣接セルに対応する第２受信電力に応じて定められる第２ランキングとを比較することを含む。第１セル再選択パラメータ及び第２セル再選択パラメータのそれぞれは、第１受信電力に適用されるオフセット値及び／又は第２受信電力に適用されるオフセット値を含む。
【００９７】
第２実施形態に係るセル再選択制御方法は、ＵＥ１００が、第２セルをサービングセルとして再選択してから所定期間が経過するまで、第１セル再選択パラメータをセル再選択に用いることを継続するステップをさらに備える。
【００９８】
第２実施形態に係るセル再選択制御方法は、ＵＥ１００が、第１セルからブロードキャストされ、所定期間を指定する情報を受信するステップをさらに備える。延期するステップは、第２セルをサービングセルとして再選択してから、第１セルから指定された所定期間が経過するまで、第２セル再選択パラメータを用いるセル再選択の開始を延期するステップを含む。
【００９９】
第２実施形態に係るＵＥ１００は、第１セルをサービングセルとして選択している際に、第１セルからブロードキャストされる第１セル再選択パラメータを受信する受信部と、第１セル再選択パラメータを用いて、第１セルとは異なる第２セルをサービングセルとして再選択する制御部とを備える。制御部は、第２セルをサービングセルとして再選択してから所定期間が経過するまで、第２セルからブロードキャストされる第２セル再選択パラメータを用いるセル再選択の開始を延期する。
【０１００】
第２実施形態において、「第２セル再選択パラメータを用いるセル再選択の開始を延期する」とは、セル再選択のプロシージャ自体を実施しないこと、セル再選択のプロシージャのうち測定（特に、受信電力の測定）を実施しないこと、又は第２セル再選択パラメータを適用しないこと（測定・再選択プロシージャは開始・実行されていてもよい）ことをいう。
【０１０１】
（第２実施形態に係る動作の一例）
第２実施形態に係る動作の一例について説明する。ここでは、セル再選択パラメータとして、隣接セルのランキングＲｎの算出に用いられるオフセット値であるＱｏｆｆｓｅｔを例示する。ランキングＲｎは、“Ｑｍｅａｓ，ｎ−Ｑｏｆｆｓｅｔ−Ｑｏｆｆｓｅｔｔｅｍｐ”によって算出される。すなわち、Ｑｏｆｆｓｅｔは、隣接セルに対応する受信電力Ｑｍｅａｓ，ｎに適用されるオフセット値である。Ｑｏｆｆｓｅｔの値を変化させることによって、サービングセルのランキングに対する隣接セルのランキングを相対的に変化させることができる。例えば、Ｑｏｆｆｓｅｔによって、隣接セルに対応する受信電力“Ｑｍｅａｓ，ｎ”に正のオフセット値を付与する場合、隣接セルのランキングが相対的に高くなり、隣接セルへのセル再選択を促すことができる。
【０１０２】
Ｑｏｆｆｓｅｔは、隣接セルごとに設定される。ｅＮＢ２００は、隣接セルの識別子であるセルＩＤとＱｏｆｆｓｅｔとの複数のセットをＳＩＢによってブロードキャストする。第２実施形態に係るＱｏｆｆｓｅｔ、すなわち、隣接セルにおいても所定時間内において有効なＱｏｆｆｓｅｔは、隣接セルにおいて無効になる既存のＱｏｆｆｓｅｔとは別の新たな情報要素としてＳＩＢ中に設けられてもよい。Ｑｏｆｆｓｅｔを既存の情報要素と同じとして、隣接セルにおいても所定時間内において有効であることを示す識別子又はフラグをＳＩＢ中でＱｏｆｆｓｅｔに関連付けてもよい。Ｑｏｆｆｓｅｔを既存の情報要素と同じとして、ＵＥ１００が、所定期間を指定する情報がブロードキャストされている場合に、Ｑｏｆｆｓｅｔが隣接セルにおいても所定時間内において有効であると判断してもよい。
【０１０３】
図１２は、第２実施形態に係るアイドルモードのＵＥ１００の動作例を示す図である。ＵＥ１００は、強化カバレッジ機能によって拡張されたカバレッジに居るＵＥ１００であってもよい。
【０１０４】
図１２に示すように、ステップＳ１０１において、ＵＥ１００は、第１セル再選択パラメータ（Ｑｏｆｆｓｅｔ）を含むＳＩＢを、現在のサービングセルである第１セルから取得する。ここでは、第１セル再選択パラメータ（Ｑｏｆｆｓｅｔ）が、隣接セルのランキングを相対的に高くするような値であると仮定する。ＵＥ１００は、さらに、所定時間を指定する情報（タイマ値）を第１セルから取得してもよい。タイマ値は、第１セル再選択パラメータ（Ｑｏｆｆｓｅｔ）が含まれるＳＩＢと同じＳＩＢに含まれてもよいし、異なるＳＩＢに含まれてもよい。
【０１０５】
ステップＳ１０２において、ＵＥ１００は、第１セル再選択パラメータ（Ｑｏｆｆｓｅｔ）を用いてランキング動作を行う。ＵＥ１００は、現在のサービングセルのランキングＲｓ及び隣接セルのランキングＲｎを算出し、所定期間（ＴｒｅｓｅｌｅｃｔｉｏｎＲＡＴ）に亘ってＲｓよりも高いランキングＲｎを有するセルを対象セル（新たなサービングセル）として選択する。例えば、Ｒｓは、Ｒｓ＝Ｑｍｅａｓ，ｓ＋ＱＨｙｓｔ−Ｑｏｆｆｓｅｔｔｅｍｐによって算出される。Ｒｎは、Ｒｎ＝Ｑｍｅａｓ，ｎ−Ｑｏｆｆｓｅｔ−Ｑｏｆｆｓｅｔｔｅｍｐによって算出される。ここでは、ランキング動作によって、隣接セルの１つである第２セルが新たなサービングセルとして選択されたと仮定する。
【０１０６】
ステップＳ１０３において、ＵＥ１００は、第１セルから第２セルへのセル再選択を行う。ＵＥ１００は、第１セルから第２セルへのセル再選択を行う場合に、第１セルから指定された所定時間に対応するタイマを起動する。タイマの起動タイミングは、第２セルへのセル再選択を行うタイミング、例えば、第２セルへのセル再選択を決定したタイミング又は第２セルへのセル再選択を完了したタイミング等であってもよい。
【０１０７】
ステップＳ１０４において、ＵＥ１００は、タイマ動作中は、第１セル再選択パラメータ（Ｑｏｆｆｓｅｔ）を用いるランキング動作を継続する。この時点では、第２セルが現在のサービングセルであるため、ＵＥ１００が第１セル再選択パラメータ（Ｑｏｆｆｓｅｔ）をそのまま用いると、隣接セルである第１セルのランキングが高くなってしまう。よって、ＵＥ１００は、第１セル再選択パラメータ（Ｑｏｆｆｓｅｔ）の正と負を逆転してランキング動作に用いてもよい。
【０１０８】
ＵＥ１００は、タイマ動作中は、第２セルにおいてブロードキャストされる第２セル再選択パラメータ（Ｑｏｆｆｓｅｔ）を取得しない（すなわち、無視する）。或いは、ＵＥ１００は、タイマ動作中は、第２セルにおいてブロードキャストされる第２セル再選択パラメータ（Ｑｏｆｆｓｅｔ）を取得しても、第２セル再選択パラメータ（Ｑｏｆｆｓｅｔ）をランキング動作に適用せずに保持又は破棄する。
【０１０９】
タイマが満了した場合（ステップＳ１０５：ＹＥＳ）、ステップＳ１０６において、ＵＥ１００は、第２セル再選択パラメータ（Ｑｏｆｆｓｅｔ）を有していなければ第２セル再選択パラメータ（Ｑｏｆｆｓｅｔ）を第２セルから取得し、第２セル再選択パラメータ（Ｑｏｆｆｓｅｔ）を用いるランキング動作を開始する。
【０１１０】
本フローは、ＵＥ１００が、タイマ動作中は、第１セル再選択パラメータを用いるランキング動作を継続する一例を説明した。しかしながら、ＵＥ１００は、タイマ動作中はランキング動作自体を中断し、タイマ満了後に第２セル再選択パラメータを用いるランキング動作を開始してもよい。或いは、ｅＮＢ２００は、タイマ動作中にのみ有効となる例外的なセル再選択パラメータを通常のセル再選択パラメータとは別にＵＥ１００に提供してもよい。この場合、ＵＥ１００は、タイマ動作中は、例外的なセル再選択パラメータを用いるランキング動作を行ってもよい。
【０１１１】
［第３実施形態］
第３実施形態について、第１及び第２実施形態との相違点を主として説明する。
【０１１２】
（第３実施形態の概要）
第３実施形態は、セルの負荷が高い場合に、当該セルへのＵＥ１００のアクセスを規制することによって、当該セルがシャットダウンすることを回避することを可能とする実施形態である。第３実施形態は、強化カバレッジ機能によって拡張されたカバレッジに居るアイドルモードのＵＥ１００を主として対象とする。但し、第３実施形態は、通常のカバレッジに居るアイドルモードのＵＥ１００を対象としてもよい。
【０１１３】
拡張されたカバレッジに居るアイドルモードのＵＥ１００は、例えば、ｅＭＴＣ  ＵＥ及び／又はＮＢ−ＩｏＴ  ＵＥである。一般的に、かかるＵＥ１００は、移動せずに同じセルに居続けるため、アクセス規制が適用されると、アクセス規制が解除されるまでネットワークとの通信を行うことができない。
【０１１４】
かかる問題を解決するために、第３実施形態に係るアクセス規制方法は、ｅＮＢ２００がアクセス規制を開始する前に、ｅＮＢ２００が、所定時間後にアクセス規制を開始することを示す予告通知をブロードキャストするステップと、ＵＥ１００が、予告通知を受信するステップと、ＵＥ１００が、予告通知に基づいて、所定時間内にｅＮＢ２００へのアクセスを行うべきか否かを判断するステップと、ｅＮＢ２００が、予告通知をブロードキャストしてから所定時間が経過した後にアクセス規制を開始するステップとを備える。
【０１１５】
このように、ｅＮＢ２００がアクセス規制を開始する前に予告通知をブロードキャストすることによって、ＵＥ１００は、アクセス規制が開始されることを事前に把握することができるため、アクセスを行う必要があれば、アクセス規制が開始される前にｅＮＢ２００へのアクセスを行うことができる。なお、予告通知に起因して、所定時間内において多数のＵＥ１００が一斉にアクセスを行うことにより輻輳が発生する可能性がある。しかしながら、予告なしにアクセス規制を行う場合と比較して、一部のＵＥ１００（特に、拡張されたカバレッジに居るｅＭＴＣ  ＵＥ及び／又はＮＢ−ＩｏＴ  ＵＥ）だけでもデータ送受信を完了できる可能性を高めることができる。
【０１１６】
第３実施形態に係るアクセス規制方法は、ＵＥ１００に１又は複数のアクセスクラスを設定するステップと、ｅＮＢ２００が、所定時間内にｅＮＢ２００へのアクセスを許可する特定のアクセスクラスを示すアクセスクラス情報をブロードキャストするステップと、ＵＥ１００が、アクセスクラス情報を受信するステップと、ＵＥ１００が、当該ＵＥ１００に設定された１又は複数のアクセスクラスのいずれかが特定のアクセスクラスである場合に、当該ＵＥ１００が所定時間内にｅＮＢ２００へのアクセスを行うことが許可されると判断するステップとをさらに備える。これにより、アクセス規制が開始される前の所定時間内にアクセスを行うＵＥ１００の数を抑制し、輻輳が発生する可能性を低減することができる。例えば、ｅＭＴＣ  ＵＥ及び／又はＮＢ−ＩｏＴ  ＵＥに対応するアクセスクラスをｅＮＢ２００が指定してアクセスを許可するといった運用も可能である。なお、かかる方法は、「所定時間内」に限定せずに適用可能である。すなわち、上述した予告通知を前提とせずに、ＵＥ１００に１又は複数のアクセスクラスを設定するステップと、ｅＮＢ２００が、ｅＮＢ２００へのアクセスを許可する特定のアクセスクラスを示すアクセスクラス情報をブロードキャストするステップと、ＵＥ１００が、アクセスクラス情報を受信するステップと、ＵＥ１００が、当該ＵＥ１００に設定された１又は複数のアクセスクラスのいずれかが特定のアクセスクラスである場合に、当該ＵＥ１００がｅＮＢ２００へのアクセスを行うことが許可されると判断するステップとを、単独で実施してもよい。
【０１１７】
第３実施形態において、アクセスクラスには、優先順位が対応付けられていてもよい。ＵＥ１００は、ｅＮＢ２００から受信したアクセスクラス情報（特定のアクセスクラス）に対応する優先順位と、ＵＥ１００に設定されたアクセスクラスに対応する優先順位とを比較する。ＵＥ１００は、ＵＥ１００に設定されたアクセスクラスに対応する優先順位が、ｅＮＢ２００から受信したアクセスクラス情報に対応する優先順位以上である場合に、所定時間内にｅＮＢ２００へのアクセスを行うことが許可されると判断してもよい。例えば、アクセスクラスの優先順位が“１”から“４”まで規定されており、ＵＥ１００には優先順位“２”が設定され、ｅＮＢ２００が優先順位“３”をブロードキャストしている場合、ＵＥ１００は、優先順位“２”の方が優先順位“３”よりも高いので、アクセスを行うことが許可されると判断する。  第３実施形態に係るｅＮＢ２００は、ＵＥ１００からｅＮＢ２００へのアクセスを規制するアクセス規制を開始する前に、所定時間後にアクセス規制を開始することを示す予告通知をブロードキャストする送信部と、予告通知をブロードキャストしてから所定時間が経過した後にアクセス規制を開始する制御部とを備える。
【０１１８】
第３実施形態に係るＵＥ１００は、ＵＥ１００からｅＮＢ２００へのアクセスを規制するアクセス規制が所定時間後に開始されることを示す予告通知をｅＮＢ２００から受信する受信部と、予告通知に基づいて、所定時間内にｅＮＢ２００へのアクセスを行うべきか否かを判断する制御部とを備える。
【０１１９】
（第３実施形態に係る動作の一例）
第３実施形態に係る動作の一例について説明する。図１３は、第３実施形態に係る動作の一例を示す図である。ＵＥ１００には、複数のアクセスクラスが設定される。ＵＥ１００には、ＵＥ１００の製造段階で複数のアクセスクラスが事前設定されてもよい。複数のアクセスクラスが記憶された不揮発性記憶媒体（例えば、ＵＩＣＣ：ｕｎｉｖｅｒｓａｌ  ｉｎｔｅｇｒａｔｅｄ−ｃｉｒｃｕｉｔ  ｃａｒｄ）をＵＥ１００に装着することによってＵＥ１００に複数のアクセスクラスが設定されてもよい。ネットワーク（ｅＮＢ２００又はＭＭＥ３００等）がシグナリングによってＵＥ１００に複数のアクセスクラスを設定してもよい。当該アクセスクラスは、特殊用途向けのアクセスに適用するものであってもよい。特殊用途とは、例えば無人航空機などである。ＵＥ１００が当該アクセスクラスを適用するか否かは、特殊用途向けの契約に基づいてもよく、特殊用途通信の能力を有するか否かに基づいてもよく、特殊用途の通信を行おうとしているか否かに基づいてもよく、特殊用途の状態（例えば飛行中）において通信を行おうとしているか否かに基づいてもよい。
【０１２０】
図１３に示すように、ステップＳ２０１において、ｅＮＢ２００は、例えば現時点のｅＮＢ２００の負荷が高いこと又は近い将来にｅＮＢ２００の負荷が高くなると予想したことに応じて、アクセス規制を行うことを決定する。ｅＮＢ２００は、アクセス規制が開始される前の所定時間内においてアクセスを許容するアクセスクラスを決定してもよい。
【０１２１】
ステップＳ２０２において、ｅＮＢ２００は、アクセス規制を行うことを決定したことに応じて、所定時間後にアクセス規制を開始することを示す予告通知をブロードキャストする。予告通知は、所定時間の時間長（例えば、１００秒）を示す時間情報を含んでもよい。或いは、所定時間に対応するタイマ値がＬＴＥシステムの仕様において規定され、ＵＥ１００に当該タイマ値が事前設定されていてもよい。ｅＮＢ２００は、さらに、所定時間内にｅＮＢ２００へのアクセスを許可する特定のアクセスクラスを示すアクセスクラス情報をブロードキャストしてもよい。特定のアクセスクラスは、ｅＮＢ２００によって許可された１又は複数のアクセスクラスである。予告通知及びアクセスクラス情報は、同じＳＩＢに含まれてもよいし、互いに異なるＳＩＢに含まれてもよい。
【０１２２】
ステップＳ２０３において、ＵＥ１００は、ｅＮＢ２００からアクセスクラス情報を受信し、当該ＵＥ１００に設定された１又は複数のアクセスクラスのいずれかが特定のアクセスクラスである場合に、ＵＥ１００が所定時間内にｅＮＢ２００へのアクセスを行うことが許可されると判断する。一方で、ＵＥ１００に設定された１又は複数のアクセスクラスのいずれも特定のアクセスクラスではない場合、ＵＥ１００は、ＵＥ１００が所定時間内にｅＮＢ２００へのアクセスを行うことが許可されていないと判断する。
【０１２３】
所定時間内にｅＮＢ２００へのアクセスを行うことが許可されている場合、ステップＳ２０４において、ＵＥ１００は、ｅＮＢ２００から受信した予告通知に基づいて、所定時間内にｅＮＢ２００へのアクセスを行うべきか否かを判断する。判断基準としては、以下の１）〜３）の基準のうちいずれか１つ又は２以上の基準の組み合わせを用いることができる。
【０１２４】
１）ＵＥ１００が送信データを生成できるか否か。例えば、ＵＥ１００は、アプリケーション側を制御して、データを少し前倒しで生成することによって今すぐにアクセスできるか否かを判断する。
【０１２５】
２）送信データの許容レイテンシ。例えば、ＵＥ１００は、送信データに許容されるレイテンシが小さい、例えば、即時性の高いアプリケーションに対応する送信データを生成する場合、今すぐにアクセスを行うべきと判断する。
【０１２６】
３）事前に設定された、加入者情報に基づく許可情報がＵＥ１００に存在するか否か。許可情報には、上述したアクセスクラスが含まれてもよい。
【０１２７】
所定時間内にｅＮＢ２００へのアクセスを行うべきとＵＥ１００が判断した場合、処理がステップＳ２０５に進む。なお、ステップＳ２０３及びステップＳ２０４の順番は逆であってもよい。
【０１２８】
ステップＳ２０５において、ＵＥ１００は、ｅＮＢ２００へのアクセスを行う。例えば、ＵＥ１００は、ネットワークへのアタッチプロシージャを行う。アタッチプロシージャは、ランダムアクセスプロシージャを伴ってもよい。
【０１２９】
ステップＳ２０６において、ＵＥ１００は、ｅＮＢ２００に対してデータを送信する。ＵＥ１００は、ｅＮＢ２００からデータを受信してもよい。データの送受信が完了すると、ＵＥ１００は、ネットワークからデタッチ（及びＲＲＣ接続を解放）してもよい。
【０１３０】
ステップＳ２０７において、ｅＮＢ２００は、予告通知をブロードキャストしてから所定時間が経過した際にアクセス規制を開始する。アクセス規制を開始すると、ｅＮＢ２００は、全てのＵＥ１００のアクセスを拒否する。或いは、ｅＮＢ２００は、一部のアクセスクラスのＵＥ１００についてのみアクセスを拒否してもよいし、アクセスを禁止するアクセスクラスを指定する情報をブロードキャストしてもよい。
【０１３１】
［その他の実施形態］
上述した実施形態において、移動通信システムとしてＬＴＥシステムを例示した。しかしながら、本発明はＬＴＥシステムに限定されない。ＬＴＥシステム以外の移動通信システム（例えば、第５世代移動通信システム）に、上述した実施形態に係る動作を適用してもよい。
【０１３２】
ＵＥ１００及びｅＮＢ２００が行う各処理をコンピュータに実行させるプログラムが提供されてもよい。また、プログラムは、コンピュータ読取り可能媒体に記録されていてもよい。コンピュータ読取り可能媒体を用いれば、コンピュータにプログラムをインストールすることが可能である。ここで、プログラムが記録されたコンピュータ読取り可能媒体は、非一過性の記録媒体であってもよい。非一過性の記録媒体は、特に限定されるものではないが、例えば、ＣＤ−ＲＯＭやＤＶＤ−ＲＯＭ等の記録媒体であってもよい。ＵＥ１００及びｅＮＢ２００が行う各処理を実行するためのプログラムを記憶するメモリ及びメモリに記憶されたプログラムを実行するプロセッサによって構成されるチップセットが提供されてもよい。
【０１３３】
［付記１］
（１．はじめに）
ＬＴＥ用のさらに強化されたＭＴＣ（ｅＦｅＭＴＣ）の新しいワークアイテムはＲＡＮ＃７５で承認され、ＷＩＤはＲＡＮ２が主要なＷＧとして考慮すべきいくつかの目標を特定する。目的は、ＢＬ／ＣＥ  ＵＥのためのマシンタイプ通信のために以下の改善を指定することである。［．．．］
改善された遅延：
［．．．］
・アーリーデータ伝送をサポートする［ＲＡＮ２主導、ＲＡＮ１、ＲＡＮ３］
・少なくともＲＲＣサスペンド／レジュームの場合、ランダムアクセスプロシージャ（ＰＲＡＣＨ送信後かつＲＲＣ接続セットアップが完了する前）中の専用リソース上での電力消費／待ち時間利得の評価及びＤＬ／ＵＬデータ送信の必要なサポートの指定。
【０１３４】
改善された消費電力：
［．．．］
・セル再選択のための緩やかなモニタリング［ＲＡＮ２主導、ＲＡＮ４］
例えば（再）設定により、セル（再）選択のための緩やかなＵＥモニタリングを可能にする。。
【０１３５】
・非ＢＬ  ＵＥのためのＣＥモードと非ＣＥとの間の効率的な遷移をサポートする［ＲＡＮ２主導］
電力節約の目的でＣＥモード動作（狭帯域／広帯域）をイネーブルにする。
【０１３６】
この作業は、作業がすでにリリース１４で完了していない場合、ＲＡＮ＃７６の後に開始される。
【０１３７】
［．．．］
改善された負荷制御：
・アイドルモードＵＥのアクセス／負荷制御の改善［ＲＡＮ２主導］
例えば、  ＣＥレベルベースのアクセスクラス禁止
この付記では、これらの改善のための検討事項について検討する。
【０１３８】
（２．検討）
（２．１．改善されたレイテンシ  −  アーリーデータ伝送）
ＷＩＤは、「少なくともＲＲＣサスペンド／レジュームのケースにおいて、ランダムアクセスプロシージャ（ＰＲＡＣＨ送信後、ＲＲＣ接続セットアップが完了する前に）中の専用リソース上の電力消費／待ち時間利得を評価し、ＤＬ／ＵＬデータ送信に必要なサポートを指定する」と明確と述べている。アーリーデータ伝送による遅延性能の向上は、さまざまなＭＴＣデバイスの実装を考慮して、追加の電力消費につながる可能性がある。追加の電力消費がいくつかのＭＴＣ実装で必要になる場合、ＵＥは、レガシー・ユース・ケースの負担を避けるために、レガシーＲＡＣＨプロシージャ、すなわち、非アーリーデータ伝送モードを選択することを許可されるべきである。
【０１３９】
提案１：アーリーデータ伝送のソリューションは、追加の電力消費を最小限に抑えるべきである。例えば、ＵＥは、レガシーＲＡＣＨプロシージャ、すなわち「非アーリーデータ伝送モード」を選択することを許可されるべきである。
【０１４０】
ＷＩＤはまた、アーリーデータ伝送がＭｓｇ１の後で実行されるべきであり、Ｍｓｇ５の前に実行されるべきであること、すなわち、拡張の候補がＭｓｇ２、Ｍｓｇ３及びＭｓｇ４であることを述べている。他方で、何らかの制御シグナリングがＭｓｇ２の前やＭｓｇ４の後でさえも送信されることが可能であることが期待できる。
【０１４１】
提案２：アーリーデータ伝送に関連する制御シグナリングがメッセージ２、メッセージ３、メッセージ４に送信されることが必要とされる必要はない。
【０１４２】
アーリー伝送のためのデータが小さなパケット、大きなサイズのデータ及び／又は両方として想定されているかどうかは、ＷＩＤにおいて識別されていない。例えば、小さなデータのみが想定される場合、例えば、ＲＡＣＨプロシージャ内であっても、データ送信が完了するとすぐにＵＥがＲＲＣ  ＩＤＬＥに遷移する方が良い場合がある。アーリー伝送のためのデータサイズによってソリューションが異なると考えられる。したがって、ＲＡＮ２はまずデータサイズの仮定を検討し、決定すべきである。
【０１４３】
提案３：ＲＡＮ２は、アーリー伝送のために仮定されたデータサイズ（すなわち、小さなパケット、大きいパケット、又はその両方）を検討すべきである。
【０１４４】
アーリーデータ伝送が、競合ベースのＲＡＣＨプロシージャ、競合のないＲＡＣＨプロシージャ、又はその両方においてのみ開始され得るかどうかについては、ＷＩＤは明確に言及していない。ソリューションの仮定は、２つのプロシージャ間で異なり、例えば、ＰＤＣＣＨ命令が仮定され得るかどうかは異なる。したがって、ＲＡＮ２は、アーリーデータ伝送のための仮定であるＲＡＣＨプロシージャを明確にすべきである。
【０１４５】
提案４：ＲＡＮ２は、アーリーデータ伝送が競合ベースのＲＡＣＨプロシージャ、競合のないＲＡＣＨプロシージャ、又はその両方に適用可能かどうかを検討すべきである。
【０１４６】
図１４に、一般的なＲＡＣＨプロシージャ（競合ベース／フリー）を示す。
【０１４７】
（２．２．電力消費の改善−セル再選択のための緩やかなモニタ）
ＷＩＤは、「（再）設定によって、セル（再）選択のための軽減されたＵＥモニタリングを可能にする」と述べている。（再）設定の必要性にかかわらず、固定のＵＥは、セルの再選択がまれであるため、緩やかなモニタを実行することを許可されるべきである。ＷＩＤにおいて意図されたように（再）設定が必要な場合、ネットワークがＩＤＬＥモードＵＥがセル再選択を実行するかどうかを知ることができないので、いくつかのＵＥアシスタント情報、例えば、セル再選択の報告の数や固定ＵＥインディケーション等が必要になり得る。
【０１４８】
提案５：固定ＵＥがセル再選択のための緩やかなモニタ下で動作することが許可されるかどうかを設定可能とすべきである。
【０１４９】
（２．３．改善された負荷制御−アイドルモードＵＥのアクセス／負荷制御）
また、ＷＩＤには「例えば、ＣＥレベルベースのアクセスクラスの禁止」と述べられている。この例は、特定のアクセスレベルを持つＵＥが特定のＣＥレベルで動作しているときにネットワークへのアクセスを拒否される可能性があることを示唆している。例えば、アクセスクラス３及びＣＥレベル２のＵＥは、ｅＮＢが例えばＳＩＢ２においてあるインディケーションをブロードキャストする場合、ＲＲＣ接続確立／復旧を開始することができない。そのような候補ソリューションを検討することは本当に価値がある。
【０１５０】
他方、ＷＩＤにおける「アイドルモードＵＥの負荷制御」の記述は、可能な限りアクセス制御を使用することを避けるために使用される特定の機能性を意味する。特に、ＩＤＬＥ  ＵＥの負荷制御のためのメカニズムは、このＣＥレベルのセルがＵＥに利用可能な唯一の適切なセルである場合に、ＡＣ制限付きセルの使用を禁止することなく、ネットワークのロードバランシングの観点から必要な結果を達成できる。例えば、現在の仕様は、ＭＣＬＤとして知られているＥ−ＵＴＲＡＮインター周波数再配分手順をサポートしている。これは、より良いロードバランシングのために再選択優先処理を利用している。しかし、ＣＥ内のＵＥは、セル再選択のランク付け、すなわち、「拡張カバレッジのための再選択」で指定された手順を適用しなければならない。ＣＥでの負荷分散がどのように機能すべきかはまだ明確ではない。したがって、ネットワーク間でより良い負荷分散を達成する方法についてさらに議論する価値がある。
【０１５１】
提案６：  ＲＡＮ２は、特定のセル内のアクセス制限に加えて、ネットワーク内でＩＤＬＥ  ＵＥの負荷分散を達成する方法について議論すべきである。
【０１５２】
［付記２］
（１．はじめに）
ＲＡＮ２＃９９は、ＬＴＥ（ｅＦｅＭＴＣ）のさらに強化されたＭＴＣにおいて、アイドルモードＵＥのアクセス／負荷制御についての議論を開始したが、その不公平さの問題のためにＣＥベースのアクセス制限を導入するかどうかに関して合意は得られなかった。
【０１５３】
本付記では、ＣＥベースのアクセス制限と負荷分散メカニズムの詳細について説明します。
【０１５４】
（２．検討）
（２．１．ＣＥベースのアクセス制限）
可能な解決策の例としてＷＩＤに記載されているため、ＣＥベースのアクセス制限は、いくつかの企業によって提案されている。この考え方は、各ＣＥレベルでのＵＥからのアクセスを制限するために、現在のアクセスクラス制限の概念を拡張するだけである。オーバーロードに対する重大な影響は、カバレッジ強化のためのリピテーションに起因すると予想されるためである。
【０１５５】
また、ＣＥ承認のＲＡＮレベル制御の一種と見なすこともできる。これは、リリース１４で「拡張カバレッジの使用の制限」として導入された。高速ＲＡＮレベルの制御を提供するためにＥＡＢやＡＣＤＣなどのＲＡＮの既存のアクセス制限メカニズムがあるが、これらはＣＥに関連付けられていない。一方、ＣＥ承認は、ＣＥにあるＵＥからのアクセスを制限するが、ＡＴＴＡＣＨ又はＴＡＵでのみ有効であり、むしろセル負荷の制御を遅くする。したがって、ＣＥベースのアクセス制限は、最悪の場合を回避するための解決策（例えば突然の過負荷によるＮＷのハングアップ／シャットダウン）になり得る。
【０１５６】
考察１：ＣＥベースのアクセス制限は、過負荷状態を避けるために有益である。
【０１５７】
しかし、指摘されているように、同じアクセスクラスのＵＥ間の不公平さが考察されたため、これまで、導入することに同意されなかった。不公平問題は、ＮＷによって承認されたＵＥが、例えばその加入のために、ＣＥモードにキャンプされているためにセルにアクセスすることができず、通常のカバレッジの同じアクセスクラスを有する別のＵＥがアクセスを開始できるときに生じる。さらに、制限されたＵＥは他のセルを再選択する選択肢を持たない。すなわち、ＵＥは現在のサービングセルにキャンプし、アクセス制御メカニズムの現在の概念のように、制限の除去を待つ。ほとんどのＭＴＣデバイスは本質的には静止していることを考慮すると、アクセス制限が解除されない限り、そのようなデバイスはまったくアクセスができない可能性がある。そのため、ＣＥベースのアクセス制限は、特にＣＥモード及び非ＣＥモードの違いを認識していない可能性のある利用者にとって、サービスに対する利用者の不満を増大させる可能性がある。
【０１５８】
考察２：ＣＥベースのアクセス制限は、ユーザ間の不公平のために深刻な準拠を引き起こす可能性がある。
【０１５９】
利点及び欠点の上記の理解と、ＣＥベースのアクセス禁止が導入されていても、最終的にＮＷの実装及び／又は機能の使用方法／使用方法に関する配備方針になる。したがって、ＲＡＮ２は、ＮＷ動作だけでなくユーザエクスペリエンスの観点からも機能の有用性を議論すべきである。
【０１６０】
提案１：ＲＡＮ２は、ＮＷ動作及びユーザエクスペリエンスの観点から、ＣＥベースのアクセス制限が本当に有用かどうかを議論すべきである。
【０１６１】
（２．２．アイドルモードロードバランシング）
アクセス制限するためのオプションとして、ＲＡＮ２は、様々な設定可能パラメータを既に含むアイドルモードＵＥの負荷分散メカニズムの使用を考慮する必要もある（すなわち、絶対優先度、専用優先度、オフセット及び再配分手順）。しかし、ＣＥモードのＵＥのユースケースは導入されていない。
【０１６２】
ＣＥベースのアクセス制限が導入されるどうか（すなわち、提案１）にかかわらず、ＲＡＮ２は、アイドルモードＵＥの負荷分散が、アクセス制御が適用される前に、ネットワークの負担を軽減するのに十分な制御を提供できるかどうかを少なくとも考慮すべきである。
【０１６３】
提案２：ＲＡＮ２は、アクセス制限が実行可能な唯一の解決策であるという結論に至る前に、アイドルモードロードバランシングメカニズムの使用について議論すべきである。
【０１６４】
提案２が受け入れ可能であると仮定すると、次のセクションでは、インター周波数及び／又はイントラ周波数展開の既存の負荷分散メカニズムについて説明する。
【０１６５】
（２．２．１．セル／周波数特有のオフセット）
通常のカバレッジのＵＥは、イントラ周波数及び同等の優先度のインター周波数セル再選択のためのランキング機構を適用する。さらに、ＣＥ内のＵＥは、イントラ周波数又はインター周波数のセル再選択［９］に関係なく、ランキング機構に従うだけである。基準Ｒは以下のように定義される：
【０１６６】
【数１】
2019031602.tif 000003
【０１６７】
Ｑｏｆｆｓｅｔは、イントラ周波数のためのＱｏｆｆｓｅｔ，ｎ及びインター周波数のための  Ｑｏｆｆｓｅｔ＋Ｑｏｆｆｓｅｔ，ｎに等しい。−２４ｄＢ及び＋  ２４ｄＢの間のＱｏｆｆｓｅｔは、静的な制御方法としてのセル及び／又はインター周波数の負荷分散を含むネットワーク最適化に使用され得る。
【０１６８】
考察３：既存のＱｏｆｆｓｅｔを静的負荷分散に使用できる。
【０１６９】
しかしながら、ＷＩＤにおける解決策の例、すなわちＣＥベースのアクセス制限は、アクセス制限が一時的に適用されることを意味するので、このＷＩ上のアクセス／負荷制御を改善するためのユースケースは動的制御を必要とする。
【０１７０】
提案３：ＲＡＮ２は、改善されたアクセス／負荷制御のための解決策がアイドルモードＵＥの動的制御、すなわち短期間適用可能であると仮定されることに同意すべきである。
【０１７１】
設定の変更は、他の設定、例えば通常のカバレッジ内のＵＥの絶対優先度を考慮する必要があり、隣接セルのシステム情報にも影響を及ぼすことがあるので、Ｑｏｆｆｓｅｔによる負荷分散はこのような動的制御を意図したものではない。したがって、解決策で提案されたＱｏｆｆｓｅｔに依存する場合、いくつかの拡張が必要である。
【０１７２】
考察４：改良されたアクセス／負荷制御のための解決策とする場合、Ｑｏｆｆｓｅｔベースの拡張が必要な場合がある。
【０１７３】
（２．２．２．相互周波数負荷の再配分）
インター周波数再配分手順は、マルチキャリア展開における負荷分散のためにリリース１３で導入された。それは、ネットワーク定義された確率で、ＵＥを別の周波数に再配分する。再配分のためのＵＥの選択は、ＵＥのＩＭＳＩに従うので、ＵＥの完全ではないが比較的公平でないことを保証する。トリガは、連続的なトリガとページングによるワンショットのトリガという２つのユースケースに対して設計されているため、インター周波数の再配分手順には動的な負荷制御がもともとサポートされている。
【０１７４】
考察５：インター周波数再配分手順は、ＵＥの良好な公平性及びアイドルモードＵＥの動的負荷制御を伴うＮＷ制御方式である。
【０１７５】
しかし、この手順ではいくつかの問題が発生する可能性がある。
【０１７６】
インター周波数の再配分にのみ適用される。このＵＥの最良ランクのセルは依然として拡張されたカバレッジを必要とするので、ＣＥ内のＵＥは、再配分のための他の周波数の数をより少なく検出すると仮定できる。
【０１７７】
再配分ターゲットセル／周波数に最高優先順位の概念を使用する。これは、現在のメカニズムが、通常のカバレッジ内のＵＥのみに適用可能であることを意味する。というのは、ＣＥ内のＵＥは、優先順位を無視し、ランキングメカニズムに従うからである。
【０１７８】
提案４：ＲＡＮ２は、改善された負荷制御のために、インター周波数再配分手順、すなわちリリース１３で導入されたＭＣＬＤを強化することに合意すべきである。
【０１７９】
（付記３）
（１．はじめに）
ＷＩＤは、アイドルモードＵＥのアクセス／負荷制御の改善のための機能を指定すると記述する：
改善された負荷制御：
・アイドルモードＵＥのアクセス／負荷制御の改善［ＲＡＮ２主導］
例えば、  ＣＥレベルベースのアクセスクラス制限
【０１８０】
アイドルモードＵＥの負荷制御の点では、例えば絶対優先度、Ｑｏｆｆｓｅｔなどのロードバランシングのための様々なメカニズムが既に存在するが、それらのうちのいくつかは通常のカバレッジ内のＵＥにのみ適用可能である。ＣＥの既存のメカニズムをサポートするためにＷＩの目的に沿っている。
【０１８１】
リリース１３で導入されたＥ−ＵＴＲＡＮインター周波数再配分手順は、アイドルモードのＵＥの一部を隣接セルに移動することによって、負荷分散の信頼性の高いメカニズムである。しかし、現在のところ、通常のカバレッジ内のＵＥに対してのみ利用可能である。
【０１８２】
本付記において、既存のＥ−ＵＴＲＡＮ相互周波数再配分手順をＣＥに拡張する方法について議論する。
【０１８３】
（２．検討）
ロードバランシングは、ネットワーク運用の安定性、信頼性、顧客満足度を確保するための重要課題の１つである。特に、アイドルモードの負荷分散の設計と制御は、アクセス障害や呼損に直接影響するため、重要である。
【０１８４】
ＣＥからのアクセスによる負荷不均衡／輻輳の問題の１つは、単純化されたセル再選択手順から来ている。すなわち、ＣＥ内のＵＥはランキングのみを実行する。多くの繰り返しのアクセスが高価になるため、無線条件の点でより良いセルを求めることは常に理にかなっている。同時に、あるエリア内のすべてのＵＥが他のセルがあっても同じセルを再選択するので、不均衡な負荷を引き起こす可能性がある。それは、１つのセルで激しい輻輳と、別のセルでの軽い負荷とをもたらす。この状態で、輻輳したセルがアクセス制限を実行する場合、実際にはネットワーク容量の低下を意味する。オプションの１つとして、Ｅ−ＵＴＲＡＮインター周波数再配分手順は、これらのＵＥが特定の地理的領域にあってもアイドルモードＵＥの一部が別のセルを再選択するようにするので、有益なツールボックスとなる。あらかじめ再配分によって輻輳／アクセス制限の数を減らすことができる。したがって、それは依然として、このＷＩのアクセス／負荷制御の改善に対する解決策である。
【０１８５】
提案７：ＲＡＮ２は、既存のＥ−ＵＴＲＡＮインター周波数再配分手順が、拡張されたカバレッジで機能するように強化することに同意すべきである。
【０１８６】
提案７に示唆されているように、既存のＥ−ＵＴＲＡＮインター周波数再配分手順は、通常のカバレッジのアイドルモードＵＥに対してのみ機能する。問題は、このメカニズムが、ＣＥにおいてそのような概念が存在しない間に、セル再選択のための最も高い優先度の概念（すなわち、８絶対優先度）よりも高いことに依存することである。
【０１８７】
考察１：Ｅ−ＵＴＲＡＮインター周波数再配分手順は、ターゲットセル／周波数を再選択するための最も高い優先度の概念に依存する。図１５に、既存の再配分プロセスとその問題点を示す。
【０１８８】
可能な解決策は、ａ）優先度処理概念をＣＥに導入すること、又はｂ）再配分プロセスにおいてランキングベースの再選択を導入することである。言うまでもなく、ソリューションａ）はＣＥでのセル再選択手順の全体設計において基本的な変更を必要とし、ソリューションｂ）は現在の仕様への影響がより少ない。この意味で、解決策ｂ）が好ましいと考えられる。
【０１８９】
提案８：ＲＡＮ２は、通常のカバレッジのＵＥに対する既存の優先順位ベースのものに加えて、ＣＥにおけるＵＥのランキングベースの再配分を仕様化することに同意すべきである。
【０１９０】
提案８が納得のいくものである場合は、ランキングプロセスにおける優先順位の処理結果をエミュレートする方法を検討すべきである。ＳＣ−ＰＴＭがＦｅＭＴＣとｅＮＢ−ＩｏＴに導入された際に、リリース１４で同様の問題が発生していたことがわかっている。解決策は、「無限大」で設定できるＲ−基準ＱｏｆｆｓｅｔＳＣＰＴＭを導入することあった。リリース１５では、同じ概念を再利用できる。つまり、「無限大」で設定され、再配分プロセスがＣＥでトリガされた場合にのみ適用されるＱｏｆｆｓｅｔＲｅｄｉｓｔｒＣＥを導入できる。
【０１９１】
提案９：ＲＡＮ２は、「無限大」で設定され、再配分がＣＥでトリガされた場合にのみ適用される新しいＱｏｆｆｓｅｔＲｅｄｉｔｒＣＥをＲ−基準で導入することに同意すべきである。
【０１９２】
議論すべきもう一つのポイントは、再配分パラメータ（確率）がＣＥモード（Ａ／Ｂ）ごとに提供されるべきかどうかである。タイマー（Ｔ３６０）、セルリスト（セル固有優先順位付け用）及び／又はＱｏｆｆｓｅｔＲｅｄｉｓｔｒＣＥ（提案９が合意可能である場合）からなるパラメータを含むことができる。ＷＩＤにおけるソリューション例、すなわち「ＣＥレベルベースのアクセスクラス制限」を考慮すると、ソリューションはセルにより正確な制御能力を有することが期待される。この期待は、ロード・バランシング・メカニズムにも当てはまると考えられるが、それはＣＥモード・コントロールであるが、このような正確な制御は、負荷レベルに従ってアイドルモードＵＥの再配分を最適化できるので有益であろう。
【０１９３】
提案１０：ＲＡＮ２は、既存の再配分パラメータと新しいＱｏｆｆｓｅｔＲｅｄｉｓｔｒＣＥが各ＣＥモードごとに提供されることに同意すべきである。
【０１９４】
上記の提案を考慮し、可能な仕様の変更が以下に記載されている。
【０１９５】
（付記4）
TS 36.304
TS 36.304の変更例は以下の通りである。
【０１９６】
最初の変更
5.2.4.6イントラ周波数及び同等優先度のインター周波数セル再選択基準
サービングセルのためのセルランク付け基準Rs及び隣接セルのためのRnは下記により定義される。
【０１９７】
Rs = Qmeas,s + QHyst - Qoffsettemp+ QoffsetSCPTM + QoffsetRedistrCE
Rn = Qmeas,n - Qoffset - Qoffsettemp+ QoffsetSCPTM + QoffsetRedistrCE
ここで：
Q：セル再選択に使用されるRSRP測定量。
【０１９８】
Qoffset：
イントラ周波数の場合：Qoffsets,nが有効な場合はQoffsets,n、それ以外の場合は0に等しくなる。
【０１９９】
インター周波数の場合：NB-IoTを除いて、Qoffsets、nが有効であればQoffsets、n + Qoffsetfrequency、それ以外はQoffsetfrequencyに等しい。
【０２００】
NB-IoTの場合、QoffsetDedicatedfrequencyが有効である場合は専用周波数オフセットの周波数以外の周波数に対するQoffsetDedicatedfrequency、それ以外はQoffsetfrequencyに等しい（QoffsetDedicatedFrequencyが有効であり、Qoffsetfrequencyが使用されない場合）。
【０２０１】
Qoffsettemp：セルに一時的に適用されるオフセット。
【０２０２】
QoffsetSCPTM：以下で指定されるSC-PTM周波数に一時的に適用されるオフセット。オフセットは、SC-PTM周波数上のすべてのセルに適用される。 QoffsetSCPTMが有効である場合、インター周波数隣接セルのQoffsetは使用されない。
【０２０３】
QoffsetRedistrCE：拡張カバレッジあるUE及びNB-IoT UEの場合、T360の終了/停止でトリガされる場合は、T360が実行されている間、5.2.4.10で指定されたE-UTRANインター周波数再配分手順の完了まで、現在の再配分ターゲット周波数/セルに適用されるオフセット。
【０２０４】
NB-IoT UE又は拡張カバレッジ内のUEがSC-PTM受信が可能であり、MBMSサービスを受信しているか又は受信することに関心があり、それが提供されている周波数（SC-PTM周波数）、UEは、以下のどちらかの条件が満たされている限り、MBMSセッション中にQoffsetSCPTMが有効であるとみなす。
【０２０５】
・サービングセルのSIB15（又はSIB15-NB）は、この周波数のために、このサービスのMBMSユーザサービス記述（USD）に含まれる1つ以上のMBMS SAIを示す。又は
・SIB15（又はSIB15-NB）はサービングセルでブロードキャストされておらず、その周波数はこのサービスのUSDに含まれている。
【０２０６】
注：UEは、QoffsetSCPTMを使用して停止した後、できるだけ早く、セル再選択のために別の周波数で上位ランクのセルを検索すべきである。
【０２０７】
UEは、5.2.3.2（NB-IoTの場合は5.2.3.2a）で定義されているセル選択基準Sを満たすすべてのセルのランク付けを実行するが、CSGセルメンバーセルではないことがUEによって分かっているすべてのCSGセルを除外し得る。
【０２０８】
セルは、上記で指定されたR基準に従ってランク付けされ、Qmeas、n及びQmeas、sを導出し、平均RSRP結果を使用してR値を計算する。
【０２０９】
セルが最良のセルとしてランク付けされている場合、UEはそのセルに対してセル再選択を実行しなければならない。このセルが不適当であると判明した場合、UEは5.2.4.4節に従って動作しなければならない。
【０２１０】
すべての場合において、UEは、以下の条件が満たされた場合にのみ、新しいセルを再選択しなければならない。
【０２１１】
・新しいセルは、時間間隔TreselectionRATの間、サービングセルよりも良好にランク付けされる。
【０２１２】
・UEが現在のサービングセルにキャンプしてから1秒以上経過している。
【０２１３】
UEがQoffsetSCPTMに無限大dBを使用する場合、UEはQoffsetSCPTMゼロを使用し、SC-PTM周波数上のセルを最初にランク付けしなければならない。UEがSC-PTM周波数上で適切なセルを見つけることができない場合、UEはすべての周波数上でセルをランク付けしなければならない。
【０２１４】
5.2.4.6a拡張カバレッジのための再選択
5.2.4.6で定義されているランキングは、UEが拡張されたカバレッジにある間に、イントラ周波数及びインター周波数セル再選択に適用される（もしあれば、設定された周波数優先度に関係なく）。
【０２１５】
2番目の変更（変更なし）
5.2.4.10 E-UTRAN相互周波数再配分手順
UEが再配分可能で、かつredistributionServingInfoがSystemInformationBlockType3に含まれ、redistributionInterFreqInfoがSystemInformationBlockType5に含まれていて、UEが専用の優先順位で設定されていない場合、
- T360が実行されておらず、RedistrOnPagingOnlyがSystemInformationBlockType3に存在しない場合、又は
- T360が満了し、redistrOnPagingOnlyがSystemInformationBlockType3に存在しない場合、又は
- ページングメッセージが受信され、redistributionIndicationが含まれている場合：
- 5.2.4.2に規定するインター周波数測定を行う。
- 測定結果が利用可能になると、5.2.4.10.1で指定された再配分ターゲット選択を実行する。
- T360を起動する。
【０２１６】
UEはT360を停止し、次の場合に周波数又はセルを再配分対象とみなすことを止める。
【０２１７】
- UEがRRC_CONNECTED状態に入る、又は
- T360が満了した、又は
- T360の実行中にページングメッセージが受信され、redistributionIndicationが含まれている場合、又は
- UEが再配分ターゲットに属さないセルを再選択した。
【０２１８】
5.2.4.10.1再配分ターゲットの選択
UEは、1つ又は複数の候補再配分ターゲットのソート済みリストをコンパイルし、各候補エントリ[j]に対して有効なredistrFactor [j]をコンパイルする。エントリは、次のようにインデックス0から始まるインデックス順に増加する。
【０２１９】
- サービング周波数の場合（再配分が設定されるときはいつでもSystemInformationBlockType3にredistributionFactorServingが含まれる）：
- redistributionFactorCellが含まれている場合、サービングセル;
- そうでなければサービング周波数;
- どちらの場合も、redistrFactor [0]はredistributionFactorServingに設定される。
【０２２０】
- InterFreqCarrierFreqList内の各エントリとそれに続くInterFreqCarrierFreqListExtの各エントリについて：
- redistributionNeighCellListが設定されていて、このセルが含まれている場合、5.2.4.6に従ってこの周波数で最良のセルとしてランク付けされたセル
- そうでなければ、redistributionFactorFreqが設定されている場合、及び周波数上の少なくとも1つのセルが5.2.3.2で定義されたセル選択基準Sを満たしている場合、関連する周波数
- セルが含まれている場合、redistrFactor [j]は対応するredistributionFactorCellに設定される。周波数が含まれる場合、redistrFactor [j]は対応するredistributionFactorFreqに設定される。
【０２２１】
UEは、以下のように再配分ターゲットを選択する。
【０２２２】
- ueID≦200・redistrRange [0]の場合、UEは再配分ターゲットとしてredistrFactor [0]に対応する周波数又はセルを選択するか、又は
【０２２３】
【数２】
2019031602.tif 000004
の場合、UEは再配分ターゲットとしてredistrFactor [i]に対応する周波数又はセルを選択しなければならない。
【０２２４】
- ueID =（IMSI mod 100）・2 + 1;
サービング周波数又はセル以外に再配分候補がない場合、redistrRange [0] = 1となる。
【０２２５】
それ以外の場合、E-UTRAN周波数又はセルのredistrRange [i]は、
【０２２６】
【数３】
2019031602.tif 000005
により定義される。
【０２２７】
ここで、maxCandidatesは、有効なredistrFactor [j]を持つ周波数/セルの総数である。
【０２２８】
TS 36.331
TS 36.331の変更例は以下の通りである。
【０２２９】
最初の変更
- SystemInformationBlockType3
IE SystemInformationBlockType3は、イントラ周波数、インター周波数及び/又はインターRATセル再選択（すなわち、複数のタイプのセル再選択が可能であるが必ずしも全てではない）に共通するセル再選択情報、ならびに隣接セル関連以外のイントラ周波数セル再選択情報を含む。
【０２３０】
SystemInformationBlockType3 information element
-- ASN1START
SystemInformationBlockType3 ::=    SEQUENCE {
cellReselectionInfoCommon      SEQUENCE {
q-Hyst                ENUMERATED {
dB0, dB1, dB2, dB3, dB4, dB5, dB6, dB8, dB10,
dB12, dB14, dB16, dB18, dB20, dB22, dB24},
speedStateReselectionPars      SEQUENCE {
mobilityStateParameters        MobilityStateParameters,
q-HystSF            SEQUENCE {
sf-Medium            ENUMERATED {
dB-6, dB-4, dB-2, dB0},
sf-High              ENUMERATED {
dB-6, dB-4, dB-2, dB0}
}
}                                OPTIONAL    -- Need OP
},
cellReselectionServingFreqInfo    SEQUENCE {
s-NonIntraSearch          ReselectionThreshold    OPTIONAL,    -- Need OP
threshServingLow          ReselectionThreshold,
cellReselectionPriority        CellReselectionPriority
},
intraFreqCellReselectionInfo    SEQUENCE {
q-RxLevMin              Q-RxLevMin,
p-Max                P-Max            OPTIONAL,    -- Need OP
s-IntraSearch            ReselectionThreshold    OPTIONAL,    -- Need OP
allowedMeasBandwidth        AllowedMeasBandwidth    OPTIONAL,    -- Need OP
presenceAntennaPort1        PresenceAntennaPort1,
neighCellConfig            NeighCellConfig,
t-ReselectionEUTRA          T-Reselection,
t-ReselectionEUTRA-SF        SpeedStateScaleFactors    OPTIONAL    -- Need OP
},
...,
lateNonCriticalExtension        OCTET STRING (CONTAINING SystemInformationBlockType3-v10j0-IEs)  OPTIONAL,
[[  s-IntraSearch-v920          SEQUENCE {
s-IntraSearchP-r9          ReselectionThreshold,
s-IntraSearchQ-r9          ReselectionThresholdQ-r9
}                                OPTIONAL,    -- Need OP
s-NonIntraSearch-v920        SEQUENCE {
s-NonIntraSearchP-r9        ReselectionThreshold,
s-NonIntraSearchQ-r9        ReselectionThresholdQ-r9
}                                OPTIONAL,    -- Need OP
q-QualMin-r9            Q-QualMin-r9        OPTIONAL,    -- Need OP
threshServingLowQ-r9        ReselectionThresholdQ-r9  OPTIONAL    -- Need OP
]],
[[  q-QualMinWB-r11            Q-QualMin-r9        OPTIONAL  -- Cond WB-RSRQ
]],
[[  q-QualMinRSRQ-OnAllSymbols-r12      Q-QualMin-r9        OPTIONAL      -- Cond RSRQ
]],
[[  cellReselectionServingFreqInfo-v1310 CellReselectionServingFreqInfo-v1310   OPTIONAL,    -- Need OP
redistributionServingInfo-r13      RedistributionServingInfo-r13 OPTIONAL,  --Need OR
cellSelectionInfoCE-r13          CellSelectionInfoCE-r13    OPTIONAL,    -- Need OP
t-ReselectionEUTRA-CE-r13        T-ReselectionEUTRA-CE-r13  OPTIONAL    -- Need OP
]],
[[  cellSelectionInfoCE1-r13        CellSelectionInfoCE1-r13  OPTIONAL  -- Need OP
]],
[[  cellSelectionInfoCE1-v1360      CellSelectionInfoCE1-v1360  OPTIONAL    -- Cond QrxlevminCE1
]]
[[  redistributionServingInfoCE-r15      RedistributionServingInfo-r13   OPTIONAL,  --Need OR
redistributionServingInfoCE1-r15    RedistributionServingInfo-r13   OPTIONAL,  --Need OR
q-offsetRedistrCE            ENUMERATED {Infinity}      OPTIONAL,  --Need OP
q-offsetRedistrCE1            ENUMERATED {Infinity}      OPTIONAL,  --Need OP
]]
}
RedistributionServingInfo-r13 ::=    SEQUENCE {
redistributionFactorServing-r13    INTEGER(0..10),
redistributionFactorCell-r13    ENUMERATED{true}        OPTIONAL,  --Need OP
t360-r13              ENUMERATED {min4, min8, min16, min32,infinity,
spare3,spare2,spare1},
redistrOnPagingOnly-r13        ENUMERATED {true}    OPTIONAL  --Need OP
}
CellReselectionServingFreqInfo-v1310 ::=  SEQUENCE {
cellReselectionSubPriority-r13        CellReselectionSubPriority-r13
}
-- Late non critical extensions
SystemInformationBlockType3-v10j0-IEs ::= SEQUENCE {
freqBandInfo-r10          NS-PmaxList-r10        OPTIONAL,  -- Need OR
multiBandInfoList-v10j0        MultiBandInfoList-v10j0    OPTIONAL,  -- Need OR
nonCriticalExtension        SystemInformationBlockType3-v10l0-IEs          OPTIONAL
}
SystemInformationBlockType3-v10l0-IEs ::= SEQUENCE {
freqBandInfo-v10l0          NS-PmaxList-v10l0      OPTIONAL,  -- Need OR
multiBandInfoList-v10l0        MultiBandInfoList-v10l0    OPTIONAL,  -- Need OR
nonCriticalExtension        SEQUENCE {}          OPTIONAL
}
-- ASN1STOP
【０２３１】
- SystemInformationBlockType5
IE SystemInformationBlockType5は、インター周波数セル再選択のみに関する情報、すなわち、セル再選択に関連する他のEUTRA周波数及びインター周波数隣接セルに関する情報を含む。 IEは、周波数に共通のセル再選択パラメータと、セル固有の再選択パラメータとを含む。
SystemInformationBlockType5 information element
-- ASN1START
SystemInformationBlockType5 ::=    SEQUENCE {
interFreqCarrierFreqList      InterFreqCarrierFreqList,
...,
lateNonCriticalExtension        OCTET STRING  (CONTAINING SystemInformationBlockType5-v8h0-IEs)        OPTIONAL,
[[  interFreqCarrierFreqList-v1250  InterFreqCarrierFreqList-v1250    OPTIONAL,  -- Need OR
interFreqCarrierFreqListExt-r12  InterFreqCarrierFreqListExt-r12   OPTIONAL  -- Need OR
]],
[[  interFreqCarrierFreqListExt-v1280  InterFreqCarrierFreqListExt-v1280   OPTIONAL  -- Need OR
]],
[[  interFreqCarrierFreqList-v1310    InterFreqCarrierFreqList-v1310    OPTIONAL,  -- Need OR
interFreqCarrierFreqListExt-v1310  InterFreqCarrierFreqListExt-v1310  OPTIONAL  -- Need OR
]],
[[  interFreqCarrierFreqList-v1350    InterFreqCarrierFreqList-v1350  OPTIONAL,  -- Need OR
interFreqCarrierFreqListExt-v1350  InterFreqCarrierFreqListExt-v1350  OPTIONAL  -- Need OR
]],
[[  interFreqCarrierFreqListExt-v1360  InterFreqCarrierFreqListExt-v1360  OPTIONAL  -- Need OR
]],
[[  scptm-FreqOffset-r14        INTEGER (1..8)          OPTIONAL  -- Need OP 
]]
}
SystemInformationBlockType5-v8h0-IEs ::=  SEQUENCE {
interFreqCarrierFreqList-v8h0 SEQUENCE (SIZE (1..maxFreq)) OF InterFreqCarrierFreqInfo-v8h0         OPTIONAL,  -- Need OP
nonCriticalExtension      SystemInformationBlockType5-v9e0-IEs              OPTIONAL
}
SystemInformationBlockType5-v9e0-IEs ::=  SEQUENCE {
interFreqCarrierFreqList-v9e0  SEQUENCE (SIZE (1..maxFreq)) OF InterFreqCarrierFreqInfo-v9e0        OPTIONAL,  -- Need OR
nonCriticalExtension      SystemInformationBlockType5-v10j0-IEs  OPTIONAL
}
SystemInformationBlockType5-v10j0-IEs ::=  SEQUENCE {
interFreqCarrierFreqList-v10j0  SEQUENCE (SIZE (1..maxFreq)) OF InterFreqCarrierFreqInfo-v10j0        OPTIONAL,  -- Need OR
nonCriticalExtension      SystemInformationBlockType5-v10l0-IEs            OPTIONAL
}
SystemInformationBlockType5-v10l0-IEs ::=  SEQUENCE {
interFreqCarrierFreqList-v10l0  SEQUENCE (SIZE (1..maxFreq)) OF InterFreqCarrierFreqInfo-v10l0        OPTIONAL,  -- Need OR
nonCriticalExtension      SEQUENCE {}            OPTIONAL
}
InterFreqCarrierFreqList ::=    SEQUENCE (SIZE (1..maxFreq)) OF InterFreqCarrierFreqInfo
InterFreqCarrierFreqList-v1250 ::=  SEQUENCE (SIZE (1.. maxFreq)) OF InterFreqCarrierFreqInfo-v1250
InterFreqCarrierFreqList-v1310 ::=  SEQUENCE (SIZE (1.. maxFreq)) OF InterFreqCarrierFreqInfo-v1310
InterFreqCarrierFreqList-v1350 ::=  SEQUENCE (SIZE (1.. maxFreq)) OF InterFreqCarrierFreqInfo-v1350
InterFreqCarrierFreqListExt-r12 ::=  SEQUENCE (SIZE (1.. maxFreq)) OF InterFreqCarrierFreqInfo-r12
InterFreqCarrierFreqListExt-v1280 ::=  SEQUENCE (SIZE (1.. maxFreq)) OF InterFreqCarrierFreqInfo-v10j0
InterFreqCarrierFreqListExt-v1310 ::=  SEQUENCE (SIZE (1.. maxFreq)) OF InterFreqCarrierFreqInfo-v1310
InterFreqCarrierFreqListExt-v1350 ::=  SEQUENCE (SIZE (1.. maxFreq)) OF InterFreqCarrierFreqInfo-v1350
InterFreqCarrierFreqListExt-v1360 ::=  SEQUENCE (SIZE (1..maxFreq)) OF InterFreqCarrierFreqInfo-v1360
InterFreqCarrierFreqInfo ::=  SEQUENCE {
dl-CarrierFreq            ARFCN-ValueEUTRA,
q-RxLevMin              Q-RxLevMin,
p-Max                P-Max              OPTIONAL,    -- Need OP
t-ReselectionEUTRA          T-Reselection,
t-ReselectionEUTRA-SF        SpeedStateScaleFactors      OPTIONAL,    -- Need OP
threshX-High            ReselectionThreshold,
threshX-Low              ReselectionThreshold,
allowedMeasBandwidth        AllowedMeasBandwidth,
presenceAntennaPort1        PresenceAntennaPort1,
cellReselectionPriority        CellReselectionPriority      OPTIONAL,    -- Need OP
neighCellConfig            NeighCellConfig,
q-OffsetFreq            Q-OffsetRange          DEFAULT dB0,
interFreqNeighCellList        InterFreqNeighCellList      OPTIONAL,     -- Need OR
interFreqBlackCellList        InterFreqBlackCellList      OPTIONAL,     -- Need OR
...,
[[  q-QualMin-r9          Q-QualMin-r9          OPTIONAL,    -- Need OP
threshX-Q-r9          SEQUENCE {
threshX-HighQ-r9        ReselectionThresholdQ-r9,
threshX-LowQ-r9          ReselectionThresholdQ-r9
}                                OPTIONAL    -- Cond RSRQ
]],
[[  q-QualMinWB-r11          Q-QualMin-r9          OPTIONAL  -- Cond WB-RSRQ
]]
}
InterFreqCarrierFreqInfo-v8h0 ::=    SEQUENCE {
multiBandInfoList          MultiBandInfoList        OPTIONAL  -- Need OR
}
InterFreqCarrierFreqInfo-v9e0 ::=  SEQUENCE {
dl-CarrierFreq-v9e0          ARFCN-ValueEUTRA-v9e0  OPTIONAL,  -- Cond dl-FreqMax
multiBandInfoList-v9e0        MultiBandInfoList-v9e0  OPTIONAL  -- Need OR
}
InterFreqCarrierFreqInfo-v10j0 ::=  SEQUENCE {
freqBandInfo-r10          NS-PmaxList-r10        OPTIONAL,  -- Need OR
multiBandInfoList-v10j0        MultiBandInfoList-v10j0    OPTIONAL  -- Need OR
}
InterFreqCarrierFreqInfo-v10l0 ::=  SEQUENCE {
freqBandInfo-v10l0          NS-PmaxList-v10l0      OPTIONAL,  -- Need OR
multiBandInfoList-v10l0        MultiBandInfoList-v10l0    OPTIONAL  -- Need OR
}
InterFreqCarrierFreqInfo-v1250 ::=    SEQUENCE {
reducedMeasPerformance-r12    ENUMERATED {true}    OPTIONAL,    -- Need OP
q-QualMinRSRQ-OnAllSymbols-r12  Q-QualMin-r9          OPTIONAL  -- Cond RSRQ2
}
InterFreqCarrierFreqInfo-r12 ::=    SEQUENCE {
dl-CarrierFreq-r12          ARFCN-ValueEUTRA-r9,
q-RxLevMin-r12            Q-RxLevMin,
p-Max-r12              P-Max              OPTIONAL,    -- Need OP
t-ReselectionEUTRA-r12        T-Reselection,
t-ReselectionEUTRA-SF-r12      SpeedStateScaleFactors      OPTIONAL,    -- Need OP
threshX-High-r12          ReselectionThreshold,
threshX-Low-r12            ReselectionThreshold,
allowedMeasBandwidth-r12      AllowedMeasBandwidth,
presenceAntennaPort1-r12      PresenceAntennaPort1,
cellReselectionPriority-r12      CellReselectionPriority      OPTIONAL,    -- Need OP
neighCellConfig-r12          NeighCellConfig,
q-OffsetFreq-r12          Q-OffsetRange          DEFAULT dB0,
interFreqNeighCellList-r12      InterFreqNeighCellList      OPTIONAL,     -- Need OR
interFreqBlackCellList-r12      InterFreqBlackCellList      OPTIONAL,     -- Need OR
q-QualMin-r12            Q-QualMin-r9          OPTIONAL,    -- Need OP
threshX-Q-r12            SEQUENCE {
threshX-HighQ-r12          ReselectionThresholdQ-r9,
threshX-LowQ-r12          ReselectionThresholdQ-r9
}                                  OPTIONAL,  -- Cond RSRQ
q-QualMinWB-r12            Q-QualMin-r9          OPTIONAL,  -- Cond WB-RSRQ
multiBandInfoList-r12        MultiBandInfoList-r11      OPTIONAL,  -- Need OR
reducedMeasPerformance-r12      ENUMERATED {true}        OPTIONAL,  -- Need OP
q-QualMinRSRQ-OnAllSymbols-r12    Q-QualMin-r9          OPTIONAL,  -- Cond RSRQ2
...
}
InterFreqCarrierFreqInfo-v1310  ::=  SEQUENCE {
cellReselectionSubPriority-r13    CellReselectionSubPriority-r13    OPTIONAL,    -- Need OP
redistributionInterFreqInfo-r13    RedistributionInterFreqInfo-r13    OPTIONAL, --Need OP
cellSelectionInfoCE-r13        CellSelectionInfoCE-r13      OPTIONAL,  -- Need OP
t-ReselectionEUTRA-CE-r13      T-ReselectionEUTRA-CE-r13    OPTIONAL  -- Need OP
}
InterFreqCarrierFreqInfo-v1350  ::= SEQUENCE {
cellSelectionInfoCE1-r13      CellSelectionInfoCE1-r13      OPTIONAL  -- Need OP
}
InterFreqCarrierFreqInfo-v1360  ::= SEQUENCE {
cellSelectionInfoCE1-v1360    CellSelectionInfoCE1-v1360  OPTIONAL  -- Cond QrxlevminCE1
}
InterFreqCarrierFreqInfo-v15xy  ::= SEQUENCE {
redistributionInterFreqInfoCE-r15    RedistributionInterFreqInfo-r13    OPTIONAL, --Need OP
redistributionInterFreqInfoCE1-r15    RedistributionInterFreqInfo-r13    OPTIONAL, --Need OP
q-offsetRedistrCE            ENUMERATED {Infinity}      OPTIONAL,  --Need OP
q-offsetRedistrCE1            ENUMERATED {Infinity}      OPTIONAL,  --Need OP
}
InterFreqNeighCellList ::=      SEQUENCE (SIZE (1..maxCellInter)) OF InterFreqNeighCellInfo
InterFreqNeighCellInfo ::=      SEQUENCE {
physCellId              PhysCellId,
q-OffsetCell            Q-OffsetRange
}
InterFreqBlackCellList ::=      SEQUENCE (SIZE (1..maxCellBlack)) OF PhysCellIdRange
RedistributionInterFreqInfo-r13 ::=    SEQUENCE {
redistributionFactorFreq-r13      RedistributionFactor-r13  OPTIONAL,  --Need OP
redistributionNeighCellList-r13      RedistributionNeighCellList-r13    OPTIONAL  --Need OP
}
RedistributionNeighCellList-r13 ::=    SEQUENCE (SIZE (1..maxCellInter)) OF RedistributionNeighCell-r13
RedistributionNeighCell-r13 ::=    SEQUENCE {
physCellId-r13                  PhysCellId,
redistributionFactorCell-r13          RedistributionFactor-r13
}
RedistributionFactor-r13 ::=  INTEGER(1..10)
-- ASN1STOP
【０２３２】
［相互参照］
本願は、米国仮出願第６２／５４３４７４号（２０１７年８月１０日出願）、米国仮出願第６２／５６４４３０号（２０１７年９月２８日出願）、米国仮出願第６２／６６８８８９号（２０１８年５月９日出願）の優先権を主張し、その内容のすべてが本願明細書に組み込まれている。
【図１】
2019031602.tif 000006
【図２】
2019031602.tif 000007
【図３】
2019031602.tif 000008
【図４】
2019031602.tif 000009
【図５】
2019031602.tif 000010
【図６】
2019031602.tif 000011
【図７】
2019031602.tif 000012
【図８】
2019031602.tif 000013
【図９】
2019031602.tif 000014
【図１０】
2019031602.tif 000015
【図１１】
2019031602.tif 000016
【図１２】
2019031602.tif 000017
【図１３】
2019031602.tif 000018
【図１４】
2019031602.tif 000019
【図１５】
2019031602.tif 000020
【手続補正書】
【提出日】令和2年2月7日(2020.2.7)
【手続補正１】
【補正対象書類名】特許請求の範囲
【補正対象項目名】全文
【補正方法】変更
【補正の内容】
【特許請求の範囲】
【請求項１】
移動通信システムにおけるセル再選択制御方法であって、
基地局が、再配分機能に用いる再配分パラメータとして、第１カバレッジに居る無線端末に適用する第１再配分パラメータと、前記第１カバレッジの外側の第２カバレッジに居る無線端末に適用する第２再配分パラメータとをブロードキャストシグナリングによって送信するステップＡと、
前記第２カバレッジに居るアイドルモードの無線端末が、前記ステップＡで送信された前記第２再配分パラメータを取得するステップＢと、
当該無線端末が、前記ステップＢで取得した前記第２再配分パラメータを用いてセル再選択を行うステップＣとを備え、
前記再配分機能は、アイドルモードの複数の無線端末がセル再選択によって再選択するセル及び／又は周波数を分散させる機能であり、
前記第２カバレッジは、繰り返し送信を含む強化カバレッジ機能によって拡張されたカバレッジである、セル再選択制御方法。
【請求項２】
前記強化カバレッジ機能は、カバレッジを拡張する度合いが異なる複数の強化カバレッジレベルを有し、
前記ステップＡにおいて、前記基地局は、前記第２再配分パラメータを強化カバレッジレベルごとに個別に送信し、
前記ステップＢにおいて、前記第２カバレッジに居るアイドルモードの無線端末は、当該無線端末に適用される強化カバレッジレベルに対応する前記第２再配分パラメータを取得する、請求項１に記載のセル再選択制御方法。
【請求項３】
前記第２カバレッジに居るアイドルモードの無線端末が前記第２再配分パラメータを取得していない場合、当該無線端末が、受信電力に基づくランキングによって前記セル再選択を行うステップをさらに備え、
前記ステップＣは、当該無線端末が前記第２再配分パラメータを取得した場合、当該無線端末が、前記ランキングに代えて、前記第２再配分パラメータと当該無線端末の識別子とに基づいて前記セル再選択を行うステップを有する、請求項１又は２に記載のセル再選択制御方法。
【請求項４】
前記第２再配分パラメータは、少なくとも同一周波数内におけるセル再選択に適用され、
前記ステップＣは、前記第２再配分パラメータと前記無線端末の識別子とに基づいて、同一周波数内におけるセル再選択を行うステップを有する請求項３に記載のセル再選択制御方法。
【請求項５】
前記第２カバレッジに居るアイドルモードの無線端末が前記第２再配分パラメータを取得していない場合、当該無線端末が、受信電力に基づくランキングによって前記セル再選択を行うステップと、
当該無線端末が前記第２再配分パラメータを取得した場合、当該無線端末が、前記ランキングに所定のオフセット値を適用することによって前記セル再選択を行うステップとを更に備える、請求項１に記載のセル再選択制御方法。
【請求項６】
前記第２再配分パラメータは、前記オフセット値を含む、請求項５に記載のセル再選択制御方法。
【請求項７】
移動通信システムにおける基地局であって、
再配分機能に用いる再配分パラメータをブロードキャストシグナリングによって送信する送信部を備え、
前記再配分機能は、アイドルモードの複数の無線端末がセル再選択によって再選択するセル及び／又は周波数を分散させる機能であり、
前記送信部は、前記再配分パラメータとして、第１カバレッジに居る無線端末に適用する第１再配分パラメータと、前記第１カバレッジの外側の第２カバレッジに居る無線端末に適用する第２再配分パラメータとを送信し、
前記第２カバレッジは、繰り返し送信を含む強化カバレッジ機能によって拡張されたカバレッジである、基地局。
【請求項８】
移動通信システムにおける無線端末であって、
請求項７に記載の基地局から前記第２再配分パラメータを取得し、取得した第２再配分パラメータを用いてセル再選択を行う制御部を備える、無線端末。
【国際調査報告】
2019031602.tif 000021
2019031602.tif 000022
2019031602.tif 000023
2019031602.tif 000024
2019031602.tif 000025
2019031602.tif 000026
2019031602.tif 000027
2019031602.tif 000028